(57)【要約】【課題】、焦点距離が異なる複数の結像光学系を通して同時に合焦画像を取得できる小型の複眼光学機器を提供する。【解決手段】複眼光学機器１は、互いに異なる焦点距離を有する結像光学系を含む複数の結像光学系１１０ａ〜１４０ｂを有する。各結像光学系は、最も物体側に配置されたフォーカスレンズ群１１０ａＦ〜１４０ｂＦと、フォーカシングに際して不動の固定レンズ群１１０ａＲ〜１４０ｂＲとを有する。フォーカスレンズ群を構成するレンズであって光軸に直交する方向に隣接する隣接フォーカスレンズが互いに異なる面形状を有する。最も焦点距離が長いテレ光学系の焦点距離をｆｔとし、最も焦点距離が短いワイド光学系のフォーカスレンズ群の焦点距離をｆｆｗとするとき、０．５≦｜ｆｆｗ／ｆｔ｜≦１．６を満足する。【選択図】図２
2015197615.tif 000002
【特許請求の範囲】
【請求項１】
物体の光学像を像面における互いに異なる領域にそれぞれ形成する複数の結像光学系を有する複眼光学機器であって、
前記複数の結像光学系は、互いに異なる焦点距離を有する結像光学系を含み、
前記各結像光学系は、最も物体側に配置され、フォーカシングに際して光軸に沿った方向に移動可能なフォーカスレンズ群と、該フォーカスレンズ群よりも像側に配置され、フォーカシングに際して不動の固定レンズ群とを有し、
互いに異なる焦点距離を有する前記結像光学系の前記フォーカスレンズ群を構成するレンズであって前記光軸に直交する方向に隣接する隣接フォーカスレンズが互いに異なる面形状を有しており、
前記複数の結像光学系のうち、最も焦点距離が長いテレ光学系の焦点距離をｆｔとし、最も焦点距離が短いワイド光学系の前記フォーカスレンズ群の焦点距離をｆｆｗとするとき、
０．５≦｜ｆｆｗ／ｆｔ｜≦１．６
なる条件を満足することを特徴とする複眼光学機器。
【請求項２】
前記ワイド光学系が有する前記固定レンズ群の焦点距離をｆｒｗとするとき、
０．２≦｜ｆｒｗ／ｆｔ｜≦０．７
なる条件を満足することを特徴とする請求項１に記載の複眼光学機器。
【請求項３】
前記ワイド光学系が有する前記固定レンズ群の焦点距離をｆｒｗとするとき、
１．５≦｜ｆｆｗ／ｆｒｗ｜≦３．０
なる条件を満足することを特徴とする請求項１または２に記載の複眼光学機器。
【請求項４】
前記テレ光学系における最も物体側のレンズ面から前記ワイド光学系における最も物体側のレンズ面までの前記光軸に沿った方向での距離をＤとするとき、
０≦｜Ｄ／ｆｔ｜≦０．４
なる条件を満足することを特徴とする請求項１から３のいずれか一項に記載の複眼光学機器。
【請求項５】
前記テレ光学系のフォーカスレンズ群の焦点距離をｆｆｔとするとき、
０．８≦｜ｆｆｗ／ｆｆｔ｜≦１．２
なる条件を満足することを特徴とする請求項１から４のいずれか一項に記載の複眼光学機器。
【請求項６】
前記隣接フォーカスレンズは互いに同じ材料により形成されていることを特徴とする請求項１から５のいずれか一項に記載の複眼光学機器。
【請求項７】
前記複数の結像光学系は、互いに異なる焦点距離を有する結像光学系のいずれかと焦点距離が同じ結像光学系を含むことを特徴とする請求項１から６のいずれか一項に記載の複眼光学機器。
【請求項８】
前記複数の結像光学系がそれぞれ形成する複数の前記光学像を互いに異なる光電変換領域において光電変換する１つの撮像素子、または前記複数の光学像のそれぞれを光電変換する複数の撮像素子を有することを特徴とする請求項１から７のいずれか一項に記載の複眼光学機器。
【発明の詳細な説明】
【技術分野】
【０００１】
本発明は、複眼撮像を行うための撮像装置やレンズ装置等の複眼光学機器に関する。
【背景技術】
【０００２】
ビデオカメラやデジタルカメラのような撮像装置として、結像光学系を複数に分割することにより小型化を実現する複眼撮像装置が提案されている。複眼は、昆虫の眼の構造を利用したものであり、例えば複数のレンズからなるレンズアレイによって結像光学系を構成し、各レンズを小径化および短焦点距離化することで撮像装置を小型化することができる。
【０００３】
ただし、従来の複眼撮像装置に撮影画角を可変にする光学的なズーム機能を付加することは困難である。これは、結像光学系を構成するレンズを光軸方向に移動させて撮影画角を変更する光学的なズーム機能を複眼撮像装置に採用するためには、複数に分割された結像光学系のそれぞれのレンズを移動させる機構が必要であり、その結果、撮像装置が大型化するためである。
【０００４】
特許文献１には、画角が異なる短焦点レンズと長焦点レンズとが被写体の同じ部分を含むように撮像する複眼撮像装置が開示されている。この複眼撮像装置では、撮像素子のうち短焦点レンズに対応した撮像領域から得られた画像の一部に、長焦点レンズに対応した撮像領域から得られたズームアップ画像を嵌め込む。また、特許文献２には、互いに焦点距離が異なる複数の個眼（光学系）のそれぞれを前群レンズと後群レンズとで構成した複眼撮像装置が開示されている。この複眼撮像装置では、複数の個眼における最も物体側のレンズ面の撮像素子からの距離を各個眼の視野が他の個眼によって遮られないように設定している。
【先行技術文献】
【特許文献】
【０００５】
【特許文献１】特開２００５−３０３６９４号公報
【特許文献２】特開２００５−３４１３０１号公報
【発明の概要】
【発明が解決しようとする課題】
【０００６】
ここで、特許文献１，２には、複眼撮像装置における互いに異なる焦点距離を有する光学系のフォーカシングについては特に説明がなされていない。従来の一般的な同一焦点距離を有する複数の光学系を有する複眼撮像装置においては、全体繰り出し方式によるフォーカシングが知られている。この全体繰り出し方式では、被写体距離に応じて複眼光学系の全体を光軸に沿った方向に移動させることで撮像素子上に合焦像を結像させる。
【０００７】
しかしながら、互いに異なる焦点距離を有する光学系を含む複眼撮像装置では、光学系の焦点距離によって被写体距離の変化に対する像面の移動量が異なる。具体的には、同一距離の被写体に対するフォーカシングにおいて、焦点距離が長い光学系の繰り出し量が焦点距離が短い光学系の繰り出し量に比べて原理的に大きくなる。したがって、同一距離の被写体を互いに異なる焦点距離を有する光学系を通して撮像する場合には、光学系の焦点距離に応じてフォーカシングのための繰り出し量を異ならせなければ、すべての光学系において合焦状態を得ることができない。このため、特許文献１，２にて開示された複眼撮像装置では、一部の被写体距離を除いて、異なる撮影画角の合焦画像を同時に取得することは原理的に不可能であり、いずれかの光学系を通して取得された画像が非合焦画像としなる。
【０００８】
このような問題を解消するために、各光学系のフォーカシング時の繰り出し量をその焦点距離に応じて個別に制御する方法も考えられる。しかし、この方法では、互いに焦点距離が異なる光学系が隣接する場合に、焦点距離が長く繰り出し量が大きい光学系が、焦点距離が短く繰り出し量が小さい光学系の視野を遮るおそれがある。また、このように視野が遮られることを回避するために、隣接する光学系間の距離を大きくとると、撮像装置の大型化を招く。
【０００９】
本発明は、互いに焦点距離が異なる複数の結像光学系を通して同時に合焦画像を取得することが可能であり、小型でありながらも各結像光学系の視野を確保可能な複眼光学機器を提供する。
【課題を解決するための手段】
【００１０】
本発明の一側面としての複眼光学機器は、物体の光学像を像面における互いに異なる領域にそれぞれ形成する複数の結像光学系を有する。複数の結像光学系は、互いに異なる焦点距離を有する結像光学系を含む。各結像光学系は、最も物体側に配置され、フォーカシングに際して光軸に沿った方向に移動可能なフォーカスレンズ群と、該フォーカスレンズ群よりも像側に配置され、フォーカシングに際して不動の固定レンズ群とを有する。互いに異なる焦点距離を有する結像光学系のフォーカスレンズ群を構成するレンズであって光軸に直交する方向に隣接する隣接フォーカスレンズが互いに異なる面形状を有しており、複数の結像光学系のうち、最も焦点距離が長いテレ光学系の焦点距離をｆｔとし、最も焦点距離が短いワイド光学系のフォーカスレンズ群の焦点距離をｆｆｗとするとき、
０．５≦｜ｆｆｗ／ｆｔ｜≦１．６
なる条件を満足することを特徴とする。
【発明の効果】
【００１１】
本発明によれば、互いに焦点距離が異なる複数の結像光学系を通して同時に合焦画像を取得することができ、小型でありながらも各結像光学系の視野を確保することができる複眼光学機器を実現することができる。
【図面の簡単な説明】
【００１２】
【図１】本発明の実施例である複眼撮像装置の構成を示すブロック図。
【図２】実施例の複眼撮像装置の撮像部の構成を示す斜視図。
【図３】上記撮像部の正面図。
【図４】実施例の複眼撮像装置により取得される撮影画像を示す図。
【図５】実施例の複眼撮像装置におけるフォーカス駆動機構の構成を示す斜視図。
【図６】（Ａ），（Ｂ），（Ｃ）および（Ｄ）はそれぞれ、実施例１（数値例１）の複眼撮像装置の複眼結像光学系を構成するワイド光学系、ワイドミドル光学系、テレミドル光学系およびテレ光学系の断面図。
【図７】（Ａ），（Ｂ），（Ｃ）および（Ｄ）はそれぞれ、数値例１におけるワイド光学系、ワイドミドル光学系、テレミドル光学系およびテレ光学系の収差図。
【図８】（Ａ），（Ｂ），（Ｃ）および（Ｄ）はそれぞれ、実施例２（数値例２）の複眼撮像装置の複眼結像光学系を構成するワイド光学系、ワイドミドル光学系、テレミドル光学系およびテレ光学系の断面図。
【図９】（Ａ），（Ｂ），（Ｃ）および（Ｄ）はそれぞれ、数値例２におけるワイド光学系、ワイドミドル光学系、テレミドル光学系およびテレ光学系の収差図。
【図１０】（Ａ），（Ｂ），（Ｃ）および（Ｄ）はそれぞれ、実施例３（数値例３）の複眼撮像装置の複眼結像光学系を構成するワイド光学系、ワイドミドル光学系、テレミドル光学系およびテレ光学系の断面図。
【図１１】（Ａ），（Ｂ），（Ｃ）および（Ｄ）はそれぞれ、数値例３におけるワイド光学系、ワイドミドル光学系、テレミドル光学系およびテレ光学系の収差図。
【図１２】（Ａ），（Ｂ），（Ｃ）および（Ｄ）はそれぞれ、実施例４（数値例４）の複眼撮像装置の複眼結像光学系を構成するワイド光学系、ワイドミドル光学系、テレミドル光学系およびテレ光学系の断面図。
【図１３】（Ａ），（Ｂ），（Ｃ）および（Ｄ）はそれぞれ、数値例４におけるワイド光学系、ワイドミドル光学系、テレミドル光学系およびテレ光学系の収差図。
【図１４】（Ａ）および（Ｂ）はそれぞれ、実施例５（数値例５）の複眼撮像装置の複眼結像光学系を構成するワイド光学系およびテレ光学系の断面図。
【図１５】（Ａ）および（Ｂ）はそれぞれ、数値例５におけるワイド光学系、ワイドミドル光学系、テレミドル光学系およびテレ光学系の収差図。
【図１６】（Ａ）および（Ｂ）はそれぞれ、実施例６（数値例６）の複眼撮像装置の複眼結像光学系を構成するワイド光学系およびテレ光学系の断面図。
【図１７】（Ａ）および（Ｂ）はそれぞれ、数値例６におけるワイド光学系、ワイドミドル光学系、テレミドル光学系およびテレ光学系の収差図。
【図１８】（Ａ）および（Ｂ）はそれぞれ、実施例７（数値例７）の複眼撮像装置の複眼結像光学系を構成するワイド光学系およびテレ光学系の断面図。
【図１９】（Ａ）および（Ｂ）はそれぞれ、数値例７におけるワイド光学系およびテレ光学系での収差図。
【発明を実施するための形態】
【００１３】
以下、本発明の実施例について図面を参照しながら説明する。
【００１４】
まず、本発明の実施例である複眼光学機器としての複眼撮像装置（以下、単に撮像装置という）の構成について説明し、その後、該撮像装置において用いられる複眼結像光学系の具体的な実施例（数値例）について説明する。
【００１５】
実施例の撮像装置は、複数の単焦点の結像光学系により構成される複眼結像光学系を有する。該複数の結像光学系は、互いに焦点距離が異なる少なくとも２つの結像光学系を含む。そして、該撮像装置は、複数の結像光学系により像面における互いに異なる領域にそれぞれ形成された物体（被写体）の光学像を、結像光学系ごとに対応する撮像領域（光電変換領域）を有する１つの撮像素子により撮像（光電変換する）。または、結像光学系ごとに設けられた（つまりは複数設けられた）撮像素子により撮像する。撮像素子は、ＣＣＤセンサやＣＭＯＳセンサ等の光電変換素子である。
【００１６】
実施例の撮像装置は、互いに焦点距離が異なる複数の結像光学系を用いて撮影画角が互いに異なる合焦画像を同時に（つまりは一度の撮像によって）取得することでズーミングを実現する。連続的なズーミングを行うズーム機能を実現するために、撮影画像の一部をトリミングし、トリミングした範囲を拡大することによって擬似的なズーミング効果を得るデジタルズームにより撮影画角間を補間する。また、実施例では、デジタルズームにより得られる中間画角の画像（デジタルズーム画像）の一部に、望遠用の結像光学系とこれに対応する撮像領域または撮像素子により得られる望遠画像を嵌め込む。これにより、望遠画像の部分の解像度をデジタルズーム画像の部分の解像度よりも高くした中間画角の画像を得ることができる。
【００１７】
このようなズーム機能を実現するためには、前述したように、互いに撮影画角が異なる合焦画像を同時に取得できる構成を備える必要がある。同時に取得される画像に非合焦画像が含まれると（あるいはフォーカシングよる結像性能の劣化を反映した画像が含まれると）、高解像度を維持したズーム機能を実現することができないためである。
【００１８】
なお、実施例では、複眼結像光学系と撮像素子とを一体的に備えた撮像装置について説明するが、本発明の複眼光学機器には、撮像素子を有する撮像装置とは別に構成され、複眼結像光学系を有して撮像装置に対して取り外し可能に装着される交換レンズ装置を含む。
【００１９】
以下、実施例の撮像装置の基本的な構成について説明する。図１には実施例の撮像装置１の構成を示しており、図２および図３には該撮像装置１の撮像部１００の構成を示している。
【００２０】
撮像装置１は、撮像部１００、Ａ／Ｄ変換器１０、画像処理部２０、システムコントローラ３０、撮像制御部４０、情報入力部５０、画像記録媒体６０および表示部７０を有する。
【００２１】
撮像部１００は、それぞれ物体の光学像を形成する８つの結像光学系（結像光学系）１１０ａ，１１０ｂ，１２０ａ，１２０ｂ，１３０ａ，１３０ｂ，１４０ａ，１４０ｂと、該８つの結像光学系のそれぞれに対応する８つの撮像素子２１０ａ〜２１０ｈとを有する。図１には、撮像部１００のうち結像光学系１１０ａ，１４０ａの光軸（図中に一点鎖線で示す）を含む断面を示している。図２に示すように、８つの結像光学系１１０ａ，１２０ａ，１３０ａ，１４０ａ，１１０ｂ，１２０ｂ，１３０ｂ，１４０ｂは、それらの光軸が互いに平行になるように配置されている。
【００２２】
各結像光学系は、フォーカシングのために光軸方向に移動可能なフォーカスレンズ群と、フォーカスシング時には不動の後レンズ群（固定レンズ群）とを有する。８つの結像光学系のフォーカスレンズ群は、それぞれの結像光学系の符号にＦを付して示し（例えば、１１０ａＦ）、また、８つの結像光学系の後レンズ群は、それぞれの結像光学系の符号にＲを付して示している（例えば、１１０ａＲ）。なお、各結像光学系には、不図示の絞り等の他の光学部材も含まれる。
【００２３】
８つの撮像素子２１０ａ〜２１０ｈは一体で保持されて撮像素子ユニット２００を構成する。撮像素子２１０ａは結像光学系１１０ａに対応し、撮像素子２１０ｂは単焦点結像光学系１２０ａに対応する。撮像素子２１０ｃは結像光学系１１０ｂに対応し、撮像素子２１０ｄは結像光学系１２０ｂに対応する。撮像素子２１０ｅは結像光学系１４０ａに対応し、撮像素子２１０ｆは結像光学系１３０ａに対応する。撮像素子２１０ｇは結像光学系１４０ｂに対応し、撮像素子２１０ｈは結像光学系１３０ｂに対応する。
【００２４】
８つの結像光学系１１０ａ，１２０ａ，１３０ａ，１４０ａ，１１０ｂ，１２０ｂ，１３０ｂ，１４０ｂのうち、参照符号として同じ数字にａ，ｂが付された２つの結像光学系（例えば、１１０ａと１１０ｂ）は、互いに同じ焦点距離を有する。一方、参照符号としての数字が異なる４組の結像光学系１１０（ａ，ｂ），１２０（ａ，ｂ），１３０（ａ，ｂ），１４０（ａ，ｂ）は互いに異なる焦点距離を有する。これら４組の結像光学系のうち結像光学系１１０（ａ，ｂ）は最も短い焦点距離を有するワイド光学系であり、結像光学系１２０（ａ，ｂ）は２番目に短い焦点距離を有するワイドミドル光学系である。また、結像光学系１３０（ａ，ｂ）は２番目に長い（３番目に短い）焦点距離を有するテレミドル光学系であり、結像光学系１４０（ａ，ｂ）は最も長い焦点距離を有するテレ光学系である。
【００２５】
これら８つの結像光学系は、上段と下段のそれぞれにおいて水平方向に４つずつ並べられており、上側に配置された１つの結像光学系とその下側に配置された１つの結像光学系とで対をなす。具体的には、図３に示す正面視（光軸方向視）において左側から順に、ワイド光学系１１０ａとテレ光学系１４０ａが対をなし、ワイドミドル光学系１２０ａとテレミドル光学系１３０ａが対をなす。また、ワイド光学系１１０ｂとテレ光学系１４０ｂが対をなし、ワイドミドル光学系１２０ｂとテレミドル光学系１３０ｂが対をなす。このように、複数（８つ）の結像光学系は、互いに異なる焦点距離を有する２つの結像光学系が対をなすように複数対（四対）の結像光学系を含む。なお、実施例では、複数対（四対）の結像光学系のうち少なくとも一対の結像光学系（例えば１１０ａ，１４０ａ）は、他の少なくとも一対の結像光学系（例えば、１２０ａ，１３０ａ）とは焦点距離の組み合わせが異なっている。
【００２６】
以下の説明において、８つの結像光学系のうち光軸に直交する方向にて互いに隣接する結像光学系を隣接光学系ともいう。また、これら隣接光学系のフォーカスレンズ群を構成するレンズであって光軸に直交する方向にて互いに隣接するレンズを隣接フォーカスレンズともいう。さらに、隣接光学系の後レンズ群を構成するレンズであって光軸に直交する方向にて互いに隣接するレンズを隣接後レンズ（隣接固定レンズ）ともいう。
【００２７】
図１および図２において、対の結像光学系１１０ａ，１４０ａのそれぞれにより形成された光学像は、撮像素子２１０ａ，２１０ｅによる光電変換作用によってアナログ電気信号に変換される。同様に、対の結像光学系１２０ａ，１３０ａのそれぞれにより形成された光学像は、撮像素子２１０ｂ，２１０ｆによる光電変換作用によってアナログ電気信号に変換される。また、対の結像光学系１１０ｂ，１４０ｂのそれぞれにより形成された光学像は、撮像素子２１０ｃ，２１０ｇによる光電変換作用によってアナログ電気信号に変換される。さらに、対の結像光学系１２０ｂ，１３０ｂのそれぞれにより形成された光学像は、撮像素子２１０ｄ，２１０ｈによる光電変換作用によってアナログ電気信号に変換される。
【００２８】
図１に示すＡ／Ｄ変換器１０は、撮像素子２１０ａ〜２１０ｈから出力されたアナログ電気信号をデジタル信号に変換して画像処理部２０に供給する。画像処理部２０は、Ａ／Ｄ変換器１０からの各デジタル信号に対して画素補間処理や色変換処理等の所定の画像処理を行いデジタル画像としての撮影画像を生成する。また、画像処理部２０は、撮影画像のデータを用いて所定の演算処理を行う。画像処理部２０による演算処理の結果を示すデータはシステムコントローラ３０に送信される。
【００２９】
情報入力部５０は、ユーザが入力した撮像条件の情報を不図示の情報取得部にて取得し、その情報をシステムコントローラ３０に供給する。システムコントローラ３０は、供給された各種データに基づいて撮像制御部４０を制御する。撮像制御部４０は、フォーカスレンズ群１１０ａＦ〜１４０ｂＦの位置（移動量）、各結像光学系の絞り値および撮像素子２１０ａ〜２１０ｈの露出時間等を制御して撮像を行う。
【００３０】
図４には、結像光学系１１０ａ，１２０ａ，１３０ａ，１４０ａを用いて得られる撮影画像１１１０ａ，１１２０ａ，１１３０ａ，１１４０ａを示す。図４に示すように、ワイド光学系１１０ａを用いて得られる撮影画像１１１０ａは、最も広い撮影画角（被写体空間）を取り込んだ画像である。以下、ワイドミドル光学系１２０ａ、テレミドル光学系１３０ａおよびテレ光学系１４０ａを用いて得られる撮影画像１１２０ａ，１１３０ａ，１１４０ａの順で撮影画角が狭くなる。
【００３１】
図５には、撮像部１００において結像光学系１１０ａのフォーカスレンズ群１１０ａＦに対して設けられたフォーカス駆動機構の構成を示している。フォーカスレンズ群１１０ａＦを保持する保持部材３００は、結像光学系１１０ａの光軸に平行に延びる第１ガイドバー４０１および第２ガイドバー４０２にそれぞれ係合するスリーブ部４０３およびＵ溝部４０４を有する。スリーブ部４０３は第１ガイドバー４０１により光軸方向にガイドされ、Ｕ溝部４０４は第１ガイドバー４０１を中心とする保持部材３００の回転を阻止する。
【００３２】
また、フォーカス駆動機構には、不図示のステッピングモータ等のアクチュエータによって回転するリードスクリュー４０５と、該リードスクリュー４０５に噛合したラック４０６とを有する。ラック４０６は保持部材３００に取り付けられている。リードスクリュー４０５の回転はラック４０６によって光軸方向への駆動力に変換され、この駆動力によって保持部材３００はフォーカスレンズ群１１０ａＦとともに光軸方向に移動する。
【００３３】
他の７つの結像光学系１２０ａ，１３０ａ，１４０ａ，１１０ｂ，１２０ｂ，１３０ｂ，１４０ｂのフォーカスレンズ群に対しても、図５と同様のフォーカス駆動機構が設けられている。そして、撮像制御部４０が、これらフォーカス駆動機構を介して８つの結像光学系１１０ａ〜１４０ｂのフォーカスレンズ群１１０ａＦ〜１４０ｂＦの位置を制御することで、該８つの結像光学系１１０ａ〜１４０ｂを同一距離の物体に対して合焦させることができる。したがって、一度の撮像の制御によって互いに撮影画角が異なる四対の合焦画像（撮影画角が等しい２つずつの合焦画像）を取得することができる。
【００３４】
画像記録媒体６０は、撮影画像のデータや、その撮影画像を取得した際の撮像条件等の情報を格納する。表示部７０は、液晶表示素子等の表示デバイスにより構成され、撮影画像や他の情報を表示する。
【００３５】
各実施例の撮像装置の複眼結像光学系は、複数の結像光学系のうち最も焦点距離が短いワイド光学系のフォーカスレンズ群の焦点距離をｆｆｗとし、最も焦点距離が長いテレ光学系の焦点距離をｆｔとするとき、
０．５≦｜ｆｆｗ／ｆｔ｜≦１．６    ．．．（１）
なる条件を満足する。
【００３６】
式（１）の条件は、互いに焦点距離が異なる複数の結像光学系において、前玉フォーカスを実現する場合に満足すべき条件である。ワイド光学系のフォーカスレンズ群の焦点距離が式（１）の条件を満足することで、フォーカシングに際して像面彎曲や色収差の変動を補正しつつ、ワイド光学系の小型化を容易にすることができる。式（１）の条件の上限を超えると、フォーカスレンズ群の焦点距離が大きくなりすぎて、フォーカシングに際してのフォーカスレンズ群の移動量が大きくなり、ワイド光学系が大型化する。しかも、ワイド光学系の後レンズ群の焦点距離が小さくなりすぎて、像面彎曲や色収差の補正が困難となる。一方、式（１）の条件の下限を下回ると、ワイド光学系のフォーカスレンズ群の焦点距離が短くなりすぎて、フォーカシングに際しての該フォーカスレンズ群の移動量がテレ光学系のフォーカスレンズ群の移動量に比べて小さくなりすぎてしまう。この場合、ワイド光学系とテレ光学系とを隣接して配置すると、ワイド光学系の視野がテレ光学系のフォーカスレンズ群によって遮られてしまう。また、ワイド光学系のフォーカスレンズ群の焦点距離が短くなり過ぎると、フォーカシングに際しての像面彎曲や色収差の変動の補正が困難となる。
【００３７】
このように、式（１）の条件を満足するようにワイド光学系のフォーカスレンズ群とテレ光学系の焦点距離を適切に設定することで、小型で、良好な結像性能を有し、フォーカシングに際しての各光学系の視野を確保できる複眼結像光学系を実現することができる。
【００３８】
なお、各実施例において、互いに焦点距離が異なる隣接光学系の隣接フォーカスレンズは互いに異なる面形状を有する。これにより、隣接光学系において十分な結像性能を得ることができる。
【００３９】
また、各実施例において、ワイド光学系が有する後レンズ群の焦点距離をｆｒｗとするとき、
０．２≦｜ｆｒｗ／ｆｔ｜≦０．７    ．．．（２）
なる条件を満足することが好ましい。
【００４０】
式（２）の条件は、最も焦点距離が短いワイド光学系の後レンズ群の焦点距離に関して、該ワイド光学系にて色収差や像面彎曲の発生を少なくするために満足することが好ましい条件である。式（２）の条件の上限を超えると、後レンズ群の焦点距離が長くなりすぎるので、ワイド光学系の広角化が十分に達成できなくなる。また、式（２）の条件の下限を下回ると、後レンズ群の焦点距離が短くなりすぎるので、像面彎曲や色収差の補正が困難となる。
【００４１】
また、各実施例において、ワイド光学系が有する前記固定レンズ群の焦点距離をｆｒｗとするとき、
１．５≦｜ｆｆｗ／ｆｒｗ｜≦３．０    ．．．（３）
なる条件を満足することが好ましい。
【００４２】
式（３）の条件は、ワイド光学系のフォーカスレンズ群と後レンズ群の焦点距離に関して、色収差や像面彎曲の発生を少なくして、ワイド光学系を広角化するために満足することが好ましい条件である。式（２）の条件の上限を超えると、後レンズ群の焦点距離が短くなりすぎるので、像面彎曲や色収差の補正が困難となる。式（２）の条件の下限を下回ると、後レンズ群の焦点距離が長くなりすぎるので、ワイド光学系の広角化が十分に達成できなくなる。
【００４３】
また、各実施例において、テレ光学系における最も物体側のレンズ面からワイド光学系における最も物体側のレンズ面までの光軸方向での距離をＤとするとき、
０≦｜Ｄ／ｆｔ｜≦０．４    ．．．（４）
なる条件を満足することが好ましい。
【００４４】
式（４）の条件は、テレ光学系およびワイド光学系における最も物体側のレンズの位置に関して、フォーカシングに際しての各光学系の視野を確保するために満足することが好ましい条件である。式（４）の条件の上限を超えると、テレおよびワイド光学系の最も物体側のレンズ面間の距離が長くなりすぎ、テレ光学系の最も物体側のレンズ面がより物体側にある場合に、フォーカシングに際してワイド光学系の視野を遮ってしまう。また、ワイド光学系の最も物体側のレンズ面がより物体側にある場合は、該ワイド光学系の最も物体側のレンズの径が大きくなり、ワイド光学系が大型化する。
【００４５】
さらに、各実施例において、テレ光学系のフォーカスレンズ群の焦点距離をｆｆｔとするとき、
０．８≦｜ｆｆｗ／ｆｆｔ｜≦１．２    ．．．（５）
なる条件を満足することが好ましい。
【００４６】
式（５）の条件は、前玉フォーカス方式の複眼結像光学系において、各結像光学系のフォーカシングに際してのフォーカスレンズ群の移動量を同程度とするために満足することが好ましい条件である。式（５）の条件の上限を超えると、ワイド光学系のフォーカスレンズ群の移動量が大きくなりすぎて、ワイド光学系の最も物体側のレンズの径が大きくなるとともに光学全長が長くなるため、ワイド光学系が大型化する。また、式（５）の条件の下限を下回ると、ワイド光学系のフォーカスレンズ群の移動量が小さくなりすぎて、フォーカシング時にワイド光学系の視野がテレ光学系によって遮られてしまう。
【００４７】
さらに、各実施例において、隣接フォーカスレンズを互いに同じ材料により形成することが好ましい。これにより、結像光学系を複数設ける場合の製造コストを低減することができ、撮像装置全体としてのコストを低減することができる。
【００４８】
また、各実施例において、撮像装置として十分に高い変倍比を実現するために、テレ光学系とワイド光学系の焦点距離比が１．５倍以上となるように構成することが好ましい。
【００４９】
なお、各実施例において、式（１）から（５）の条件の数値範囲を次のように設定すると、より好ましい。
０．６≦｜ｆｆｗ／ｆｔ｜≦１．５      ．．．（１ａ）
０．２５≦｜ｆｒｗ／ｆｔ｜≦０．６５  ．．．（２ａ）
１．６≦｜ｆｆｗ／ｆｒｗ｜≦２．５     ．．．（３ａ）
０≦｜Ｄ／ｆｔ｜≦０．２５           ．．．（４ａ）
０．９≦｜ｆｆｗ／ｆｆｔ｜≦１．１５   ．．．（５ａ）
また、図１から図３に示した複眼結像光学系では、説明を簡単にするためにフォーカスレンズ群と後レンズ群とをそれぞれ１つのレンズとして示したが、後述する実施例１〜７に示すように、実際には１つ又は複数のレンズにより構成される。
【００５０】
以下、複眼結像光学系の具体的な実施例およびそれに対応する数値例について説明する。
【実施例１】
【００５１】
図６（Ａ），（Ｂ），（Ｃ），（Ｄ）には、実施例１の複眼結像光学系を構成するワイド光学系、ワイドミドル光学系、テレミドル光学系およびテレ光学系の断面を示している。これらの断面図において、左側が物体側（前側）であり、右側が像側（後側：以下、像側ともいう）である。Ｆはフォーカスレンズ群を、Ｒは後レンズ群を示す。ＳＰは開口絞りを、ＩＰは像面を示す。像面ＩＰには、光学系ごとの撮像領域を有する１つの撮像素子または光学系ごとに用意された複数の撮像素子が配置される。これらの参照符号の説明は、後述する他の実施例でも同じである。
【００５２】
図７（Ａ），（Ｂ），（Ｃ），（Ｄ）には、実施例１に対応する後述の数値例１のワイド光学系、ワイドミドル光学系、テレミドル光学系およびテレ光学系の諸収差を示す。これらの収差図において、球面収差におけるd-lineとg-lineはそれぞれｄ線とｇ線の球面収差を示し、非点収差におけるΔＭとΔＳはそれぞれメリディオナル像面およびサッジタル像面での非点収差を示す。歪曲はｄ線（d-line）により、倍率色収差はｇ線（g-line）によりそれぞれ示している。ωは半画角、ＦｎｏはＦナンバーである。これらの記号の説明は後述する他の実施例でも同じである。
【００５３】
本実施例の複眼結像光学系を構成する各結像光学系は、前玉フォーカス方式の光学系であり、無限遠物体から近距離物体へのフォーカシングに際して最も物体側のレンズ群であるフォーカスレンズ群Ｆは物体側に移動し、後レンズ群Ｒは不動（固定）である。後述する実施例２〜６の複眼結像光学系も、本実施例と同様に、前玉フォーカス方式の光学系であり、無限遠物体から近距離物体へのフォーカシングに際してフォーカスレンズ群Ｆは物体側に移動し、後レンズ群Ｒは不動である。また、以下の説明において（後述する他の実施例においても）、各レンズ群のレンズ構成についての説明は、物体側から像側の順での説明とする。
【００５４】
図６（Ａ）に示すワイド光学系のフォーカスレンズ群Ｆは、物体側に凸面を向けたメニスカス形状を有する負レンズと、両凸形状を有してアッべ数が６８．３の正レンズと、負レンズとにより構成されている。この構成により、ワイド光学系を広角化した際の該ワイド光学系の小型化と、歪曲収差および色収差の効果的な補正とを可能としている。また、後レンズ群Ｒは、両凸形状の正レンズと、正レンズと、負レンズとにより構成されている。
【００５５】
図６（Ｂ）に示すワイドミドル光学系のフォーカスレンズ群Ｆは、物体側に凸面を向けたメニスカス形状を有する負レンズと、両凸形状を有してアッべ数が６８．３の正レンズと、負レンズとにより構成されている。この構成により、ワイドミドル光学系の小型化と、歪曲収差および色収差の効果的な補正とが可能になる。後レンズ群Ｒは、両凸形状の正レンズと、負レンズと、負レンズとにより構成されている。
【００５６】
図６（Ｃ）に示すテレミドル光学系のフォーカスレンズ群Ｆは、両凹形状を有する負レンズと、両凸形状を有してアッべ数が６８．３の正レンズと、負レンズとにより構成されている。この構成により、テレミドル光学系の小型化と色収差の効果的な補正とが可能になる。後レンズ群Ｒは、像側に凹面を向けたメニスカス形状の負レンズと、正レンズと、像側に凹面を向けたメニスカス形状の負レンズとにより構成されている。
【００５７】
図６（Ｄ）に示すテレ光学系のフォーカスレンズ群Ｆは、正レンズと、両凸形状を有してアッべ数が６８．３の正レンズと、負レンズとにより構成されている。この構成により、テレ光学系の小型化と色収差の効果的な補正とが可能になる。後レンズ群Ｒは、像側に凹面を向けたメニスカス形状の負レンズと、正レンズと、像側に凹面を向けたメニスカス形状の負レンズとにより構成されている。
【実施例２】
【００５８】
図８（Ａ），（Ｂ），（Ｃ），（Ｄ）には、実施例２の複眼結像光学系を構成するワイド光学系、ワイドミドル光学系、テレミドル光学系およびテレ光学系の断面を示している。図９（Ａ），（Ｂ），（Ｃ），（Ｄ）には、実施例２に対応する後述の数値例２のワイド光学系、ワイドミドル光学系、テレミドル光学系およびテレ光学系の諸収差を示す。
【００５９】
図８（Ａ）に示すワイド光学系のフォーカスレンズ群Ｆは、物体側に凸面を向けたメニスカス形状の負レンズが２つと、像側に凸面を向けたメニスカス形状の正レンズとにより構成されている。この構成により、ワイド光学系の小型化と歪曲収差および色収差の効果的な補正とを可能としている。後レンズ群Ｒは、両凸形状の正レンズが２つと、両凹形状の負レンズとにより構成されている。
【００６０】
図８（Ｂ）に示すワイドミドル光学系のフォーカスレンズ群Ｆは、物体側に凸面を向けたメニスカス形状の負レンズが２つと、像側に凸面を向けたメニスカス形状の正レンズとにより構成されている。この構成により、ワイドミドル光学系の小型化と歪曲収差および色収差の効果的な補正とを可能にしている。後レンズ群Ｒは、両凸形状の正レンズと、像側に凹面を向けたメニスカス形状の負レンズと、両凹形状の負レンズとにより構成されている。
【００６１】
図８（Ｃ）に示すテレミドル光学系のフォーカスレンズ群Ｆは、物体側に凸面を向けたメニスカス形状の正レンズと、両凹形状の負レンズと、両凸形状の正レンズとにより構成されている。この構成により、テレミドル光学系の小型化と色収差の効果的な補正とを可能としている。後群レンズＲは、負レンズと、両凸形状の正レンズと、像側に凹面を向けたメニスカス形状の負レンズとにより構成されている。
【００６２】
図８（Ｄ）に示すテレ光学系のフォーカスレンズ群Ｆは、物体側に凸面を向けたメニスカス形状の正レンズと、両凹形状の負レンズと、両凸形状の正レンズとにより構成されている。この構成により、テレ光学系の小型化と色収差の効果的な補正とを可能としている。後レンズ群Ｒは、像側に凸面を向けたメニスカス形状の正レンズと、像側に凹面を向けたメニスカス形状の負レンズと、像側に凹面を向けたメニスカス形状の負レンズとにより構成されている。
【実施例３】
【００６３】
図１０（Ａ），（Ｂ），（Ｃ），（Ｄ）には、実施例３の複眼結像光学系を構成するワイド光学系、ワイドミドル光学系、テレミドル光学系およびテレ光学系の断面を示している。図１１（Ａ），（Ｂ），（Ｃ），（Ｄ）には、実施例３に対応する後述の数値例３のワイド光学系、ワイドミドル光学系、テレミドル光学系およびテレ光学系の諸収差を示す。
【００６４】
図１０（Ａ）に示すワイド光学系のフォーカスレンズ群Ｆは、像側に凹面を向けた負レンズと、両凸形状を有してアッベ数が６８．３の正レンズと、像側に凹面を向けた負レンズとにより構成されている。この構成により、ワイド光学系の小型化と歪曲収差および色収差の効果的な補正とを可能にしている。後レンズ群Ｒは、像側に凹面を向けたメニスカス形状の正レンズと、両凸形状の正レンズと、両凹形状の負レンズとにより構成されている。
【００６５】
図１０（Ｂ）に示すワイドミドル光学系のフォーカスレンズ群Ｆは、像側に凹面を向けた負レンズと、両凸形状を有してアッベ数が６８．３の正レンズと、両凹の負レンズとにより構成されている。この構成により、ワイドミドル光学系の小型化と歪曲収差および色収差の効果的な補正とを可能にしている。後レンズ群Ｒは両凸形状の正レンズ２つと像側に凸面を向けたメニスカス形状の負レンズとにより構成されている。
【００６６】
図１０（Ｃ）に示すテレミドル光学系のフォーカスレンズ群Ｆは、物体側に凸面を向けたメニスカス形状の負レンズと、両凸形状を有してアッベ数が６８．３の正レンズと、像側に凸面を向けたメニスカス形状の負レンズとにより構成されている。この構成により、テレミドル光学系の小型化と色収差の効果的な補正とを可能にしている。後レンズ群Ｒは、物体側に凸面を向けたメニスカス形状の負レンズと、正レンズと、像側に凹面を向けたメニスカス形状の負レンズとにより構成されている。
【００６７】
図１０（Ｄ）に示すテレ光学系のフォーカスレンズ群Ｆは、物体側に凸面を向けたメニスカス形状の負レンズと、両凸形状を有してアッベ数が６８．３の正レンズと、像側に凸面を向けたメニスカス形状の負レンズとにより構成されている。この構成により、テレ光学系の小型化と色収差の効果的な補正とを可能にしている。後レンズ群Ｒは、像側に凹面を向けたメニスカス形状の正レンズが２つと、像側に凹面を向けたメニスカス形状の負レンズとにより構成されている。
【実施例４】
【００６８】
図１２（Ａ），（Ｂ），（Ｃ），（Ｄ）には、実施例４の複眼結像光学系を構成するワイド光学系、ワイドミドル光学系、テレミドル光学系およびテレ光学系の断面を示している。図１３（Ａ），（Ｂ），（Ｃ），（Ｄ）には、実施例４に対応する後述の数値例４のワイド光学系、ワイドミドル光学系、テレミドル光学系およびテレ光学系の諸収差を示す。
【００６９】
図１２（Ａ）に示すワイド光学系のフォーカスレンズ群Ｆは、物体側に凸面を向けたメニスカス形状の負レンズと、アッべ数が６８．３の正レンズと、負レンズとにより構成されている。この構成により、ワイド光学系の小型化と歪曲収差および色収差の効果的な補正とを可能としている。後レンズ群Ｒは、両凸形状の正レンズと、正レンズと、負レンズとにより構成されている。
【００７０】
図１２（Ｂ）に示すワイドミドル光学系のフォーカスレンズ群Ｆは、負レンズと、アッべ数が６８．３の正レンズと、負レンズとにより構成されている。この構成により、ワイドミドル光学系の小型化と歪曲収差および色収差の効果的な補正とを可能にしている。後レンズ群Ｒは、両凸形状の正レンズと、正レンズと、負レンズとにより構成されている。
【００７１】
図１２（Ｃ）に示すテレミドル光学系のフォーカスレンズ群Ｆは、両凹形状の負レンズと、両凸形状を有してアッべ数が６８．３の正レンズと、負レンズとにより構成されている。この構成により、テレミドル光学系の小型化と色収差の効果的な補正とを可能にしている。後レンズ群Ｒは、像側に凹面を向けたメニスカス形状の負レンズと、正レンズと、像側に凹面を向けたメニスカス形状の負レンズとにより構成されている。
【００７２】
図１２（Ｄ）に示すテレ光学系のフォーカスレンズ群Ｆは、正レンズと、アッべ数が６８．３の正レンズと、負レンズとにより構成されている。この構成により、テレ光学系の小型化と色収差の効果的な補正とを可能としている。後レンズ群Ｒは、像側に凹面を向けたメニスカス形状の負レンズと、正レンズと、像側に凹面を向けたメニスカス形状の正レンズとにより構成されている。
【実施例５】
【００７３】
図１４（Ａ），（Ｂ）には、実施例５の複眼結像光学系を構成するワイド光学系およびテレ光学系の断面を示している。図１５（Ａ），（Ｂ）には、実施例５に対応する後述の数値例５のワイド光学系およびテレ光学系の諸収差を示す。
【００７４】
図１４（Ａ）に示すワイド光学系のフォーカスレンズ群Ｆは、物体側に凸面を向けたメニスカス形状の負レンズと、物体側に凹面を向けたメニスカス形状の正レンズとにより構成されている。この構成により、ワイド光学系の小型化と歪曲収差および色収差の効果的な補正とを可能にしている。後レンズ群Ｒは、正レンズと、正レンズと、正負接合レンズと、両凹形状の負レンズとにより構成されている。
【００７５】
図１４（Ｂ）に示すテレ光学系のフォーカスレンズ群Ｆは、物体側に凸面を向けたメニスカス形状の正レンズと、負正接合レンズと、正レンズとにより構成されている。後レンズ群Ｒは、像側に凹面を向けたメニスカス形状の負レンズと、像側に凹面を向けたメニスカス形状の正レンズとにより構成されている。
【実施例６】
【００７６】
図１６（Ａ），（Ｂ）には、実施例６の複眼結像光学系を構成するワイド光学系およびテレ光学系の断面を示している。図１７（Ａ），（Ｂ）には、実施例６に対応する後述の数値例６のワイド光学系およびテレ光学系の諸収差を示す。
【００７７】
図１６（Ａ）に示すワイド光学系のフォーカスレンズ群Ｆは、物体側に凸面を向けたメニスカス形状の負レンズと、両凸形状の正レンズと、物体側に凹面を向けたメニスカス形状の負レンズとにより構成されている。この構成により、ワイド光学系の小型化と歪曲収差および色収差の効果的な補正とを可能としている。後レンズ群Ｒは、正レンズと、正レンズと、両凹形状の負レンズとにより構成されている。
【００７８】
図１６（Ｂ）に示すテレ光学系のフォーカスレンズ群Ｆは、両凹形状の負レンズと、正レンズと、正レンズとにより構成されている。後レンズ群Ｒは、像側に凹面を向けたメニスカス形状の正レンズと、正レンズと、物体側に凹面を向けたメニスカス形状の負レンズとにより構成されている。
【実施例７】
【００７９】
図１８（Ａ），（Ｂ）には、実施例７の複眼結像光学系を構成するワイド光学系およびテレ光学系の断面を示している。図１９（Ａ），（Ｂ）には、実施例７に対応する後述の数値例７のワイド光学系およびテレ光学系の諸収差を示す。
【００８０】
本実施例の複眼結像光学系を構成するワイド光学系は、前玉フォーカス方式の光学系であり、無限遠物体から近距離物体へのフォーカシングに際してフォーカスレンズ群Ｆは物体側に移動し、後レンズ群Ｒは不動である。一方、テレ光学系は、全体繰り出しによるフォーカス方式を採用しており、フォーカスレンズ群Ｆのみにより構成されている（後レンズ群を有さない）。
【００８１】
図１８（Ａ）に示すワイド光学系のフォーカスレンズ群Ｆは、物体側に凸面を向けたメニスカス形状の負レンズと、両凸形状を有してアッべ数が６８．３の正レンズと、負レンズとで構成されている。この構成により、光学系の小型化と歪曲収差および色収差の効果的な補正とを可能にしている。後レンズ群Ｒは正レンズと、正レンズと、物体側に凹面を向けたメニスカス形状の負レンズとにより構成されている。
【００８２】
図１８（Ｂ）に示すテレ光学系のフォーカスレンズ群Ｆは、両側凸形状の正レンズと、両凸形状を有してアッべ数が６８．３の正レンズと、負レンズと、像側に凹面を向けたメニスカス形状の負レンズと、正レンズと、正レンズとにより構成されている。
【００８３】
次に、実施例１〜７の複眼結像光学系に対応する数値例１〜７を示す。各数値例において、ｉは物体側から数えた面の番号を示す。ｒｉはｉ番目の光学面（第ｉ面）の曲率半径である。ｄｉは第ｉ面と第（ｉ＋１）面との光軸上での間隔である。ｎｄｉおよびνｄｉはそれぞれ、ｄ線に対するｉ番目のレンズの材料の屈折率およびアッベ数である。ｆは焦点距離であり、ＦｎｏはＦナンバー、ωは半画角である。間隔ｄｉが０とは、その間隔を形成する前側の面と後側の面とが接合されていることを示す。焦点距離ｆ、ＦナンバーＦｎｏおよび半画角ωはそれぞれ、無限遠物体に合焦したときの値を示す。ＢＦは最終レンズ面から像面までの距離（バックフォーカス）の空気換算値を示している。
【００８４】
また、非球面であるレンズ面（面番号に＊を付す）の形状は、Ｒを該レンズ面の中心部の曲率半径とし、Ｈを光軸に直交する方向での位置として、非球面係数Ｋ，Ａ３，Ａ４，Ａ５，Ａ６，Ａ７，Ａ８，Ａ９，Ａ１０，Ａ１１，Ａ１２を用いて次式で与えられる。
【００８５】
Ｘ＝（Ｈ２／Ｒ）／［１＋｛１−（１＋Ｋ）（Ｈ／Ｒ）２｝１／２］
＋Ａ３・Ｈ３＋Ａ４・Ｈ４＋Ａ５・Ｈ５＋Ａ６・Ｈ６＋Ａ７・Ｈ７＋Ａ８・Ｈ８
＋Ａ９・Ｈ９＋Ａ１０・Ｈ１０＋Ａ１１・Ｈ１１＋Ａ１２・Ｈ１２
各非球面係数における「ｅ±ＸＸ」は、「×１０±ＸＸ」を意味する。
【００８６】
さらに、前述した式（１）〜（５）の条件に対する各数値例での値を表１にまとめて示す。
（数値例１）
ワイド光学系
単位 mm
面データ
面番号       r        d      nd         νd       有効径
1*        40.382    1.30   1.62041    60.3        5.88
2*         2.411    2.67                          4.00
3*         6.203    1.40   1.59240    68.3        3.87
4*       -11.433    0.50                          3.49
5*       -62.116    0.80   1.80518    25.4        3.14
6*        15.255    0.10                          3.13
7(絞り)    ∞       0.10                          3.14
8*         6.018    1.20   1.64000    60.1        3.20
9*       -12.756    3.48                          3.11
10*         9.928    1.80   1.59240    68.3        4.65
11*       -11.658    0.50                          4.57
12*       -28.136    1.00   1.84666    23.8        4.44
13*         8.934                                  5.01
像面        ∞   
非球面データ
第1面
K =-8.61567e+001   A 4=-9.22230e-004   A 6= 4.19663e-005  
第2面
K =-9.30223e-001   A 4= 7.19408e-003   A 6= 6.36185e-004  
第3面
K = 3.54414e+000   A 4= 2.81499e-003   A 6= 2.34019e-004  
第4面
K =-3.53906e+000   A 4= 1.43935e-003   A 6= 1.07092e-004  
第5面
K = 3.15676e+000   A 4= 1.79932e-003   A 6=-9.65503e-004  
第6面
K = 4.96423e+001   A 4= 1.09416e-003   A 6=-7.97966e-004  
第8面
K =-3.06847e+000   A 4=-1.51330e-004   A 6= 3.84651e-004  
第9面
K = 9.75797e+000   A 4=-3.28928e-004   A 6= 5.50566e-004  
第10面
K =-1.10481e+001   A 4= 2.90917e-004   A 6= 5.26599e-004  
第11面
K = 1.72650e+001   A 4=-4.08824e-003   A 6= 9.11055e-004  
第12面
K =-7.35482e+001   A 4=-1.54275e-002   A 6= 3.85072e-004  
第13面
K = 7.43385e+000   A 4=-1.07701e-002   A 6= 4.92519e-004  
各種データ
焦点距離       5.20  
Fナンバー      2.88  
画角          36.69  
像高           3.88  
レンズ全長    17.91  
BF             3.06  
入射瞳位置     3.15  
射出瞳位置    -4.86  
前側主点位置   4.94  
後側主点位置  -2.14  
単レンズデータ
レンズ  始面  焦点距離
1       1     -4.19
2       3      6.99
3       5    -15.14
4       8      6.55
5      10      9.34
6      12     -7.91
ワイドミドル光学系
単位 mm
面データ
面番号       r        d      nd         νd       有効径
1*         6.194    1.30   1.62041    60.3        5.61
2*         2.200    2.67                          4.05
3*         6.346    1.40   1.59240    68.3        3.96
4*       -26.449    0.50                          3.86
5*       -41.518    0.80   1.80518    25.4        3.76
6*        14.348    0.10                          3.77
7(絞り)    ∞       0.10                          3.75
8*         4.979    1.20   1.64000    60.1        3.89
9*        -7.878    3.48                          3.82
10*        -7.653    1.80   1.59240    68.3        4.02
11*        -7.611    0.50                          4.64
12*       -12.407    1.00   1.84666    23.8        4.60
13*        52.342                                  5.45
像面        ∞   
非球面データ
第1面
K =-5.86699e+000   A 4=-8.96118e-004   A 6= 1.23087e-006  
第2面
K =-1.11462e+000   A 4= 5.18382e-003   A 6= 7.47793e-004  
第3面
K = 2.23083e+000   A 4= 2.29189e-003   A 6= 9.11689e-005  
第4面
K = 3.98608e+001   A 4=-1.07969e-003   A 6=-1.03444e-004  
第5面
K =-2.66134e+001   A 4= 2.91291e-004   A 6=-5.80559e-004  
第6面
K = 3.25993e+001   A 4= 1.05064e-003   A 6=-3.89850e-004  
第8面
K =-3.31035e+000   A 4= 9.36039e-004   A 6= 4.48060e-005  
第9面
K = 1.62170e+000   A 4=-1.30807e-004   A 6= 1.97962e-004  
第10面
K =-1.84308e+001   A 4=-9.71624e-003   A 6= 5.68105e-004  
第11面
K =-2.88780e+001   A 4=-1.01570e-002   A 6= 1.38466e-004  
第12面
K =-9.00000e+001   A 4=-1.47730e-002   A 6=-1.20913e-005  
第13面
K =-5.42659e+001   A 4=-8.67083e-003   A 6= 3.90008e-004  
各種データ
焦点距離       7.50  
Fナンバー      2.88  
画角          27.32  
像高           3.88  
レンズ全長    17.91  
BF             3.06  
入射瞳位置     4.05  
射出瞳位置    -4.94  
前側主点位置   4.52  
後側主点位置  -4.44  
単レンズデータ
レンズ  始面  焦点距離
1       1     -6.28
2       3      8.78
3       5    -13.16
4       8      4.95
5      10    138.07
6      12    -11.76
テレミドル光学系
単位 mm
面データ
面番号       r        d      nd         νd       有効径
1*       -14.915    1.30   1.62041    60.3        6.70
2*        69.090    2.67                          6.19
3*         5.672    1.40   1.59240    68.3        5.30
4*        -7.487    0.50                          5.08
5*        -9.447    0.80   1.80518    25.4        4.14
6*       -22.100    0.10                          3.74
7(絞り)    ∞       0.10                          3.67
8*         3.929    1.20   1.64000    60.1        3.60
9*         2.484    3.48                          3.41
10*         6.037    1.80   1.59240    68.3        6.30
11*        21.097    0.50                          6.25
12*        13.374    1.00   1.84666    23.8        6.25
13*         6.940                                  5.99
像面        ∞   
非球面データ
第1面
K = 3.23218e+000   A 4=-3.05400e-004   A 6= 4.53521e-005  
第2面
K =-9.00000e+001   A 4= 1.59130e-004   A 6= 5.15981e-005  
第3面
K =-1.64767e+000   A 4= 2.27739e-003   A 6=-6.09668e-006  
第4面
K =-7.51140e+000   A 4= 2.83658e-004   A 6= 7.41960e-005  
第5面
K = 8.77500e+000   A 4= 1.90647e-004   A 6= 7.09546e-004  
第6面
K = 7.06211e+000   A 4=-1.29880e-003   A 6= 6.54962e-004  
第8面
K =-7.69118e-001   A 4=-1.53255e-003   A 6=-1.23634e-004  
第9面
K =-9.82229e-001   A 4= 2.51720e-004   A 6=-1.95089e-004  
第10面
K =-4.39310e+000   A 4= 2.05043e-003   A 6=-1.72957e-005  
第11面
K = 3.04604e+001   A 4= 9.28199e-004   A 6=-1.81115e-004  
第12面
K = 5.49088e+000   A 4=-1.18023e-003   A 6= 3.43330e-005  
第13面
K = 2.34608e+000   A 4=-3.33103e-003   A 6= 1.61864e-004  
各種データ
焦点距離      10.50  
Fナンバー      2.88  
画角          20.26  
像高           3.88  
レンズ全長    17.91  
BF             3.06  
入射瞳位置     4.64  
射出瞳位置    -5.12  
前側主点位置   1.66  
後側主点位置  -7.44  
単レンズデータ
レンズ  始面  焦点距離
1       1    -19.66
2       3      5.67
3       5    -21.09
4       8    -15.62
5      10     13.67
6      12    -18.35
テレ光学系
単位 mm
面データ
面番号       r        d      nd         νd       有効径
1*        36.807    1.30   1.62041    60.3        7.62
2*       -41.677    2.67                          7.15
3*         8.270    1.40   1.59240    68.3        5.38
4*        -7.910    0.50                          4.98
5*        -9.885    0.80   1.80518    25.4        4.08
6*       -54.358    0.10                          3.71
7(絞り)    ∞       0.10                          3.66
8*         5.124    1.20   1.64000    60.1        3.45
9*         2.412    3.48                          3.17
10*        10.272    1.80   1.59240    68.3        6.40
11*        16.743    0.50                          6.42
12*         9.281    1.00   1.84666    23.8        6.58
13*        10.176                                  6.54
像面        ∞   
非球面データ
第1面
K =-9.00000e+001   A 4= 3.25623e-005   A 6= 1.37046e-005  
第2面
K = 6.54916e+001   A 4= 9.61894e-004   A 6= 1.97095e-005  
第3面
K =-5.20341e-001   A 4= 2.82359e-003   A 6= 1.62204e-005  
第4面
K =-1.07451e+001   A 4= 1.35610e-003   A 6=-1.75272e-005  
第5面
K = 9.36306e+000   A 4= 3.65867e-003   A 6= 3.57432e-004  
第6面
K =-1.69149e+001   A 4= 1.12483e-003   A 6= 6.25155e-004  
第8面
K =-6.38373e-001   A 4=-3.54965e-003   A 6= 1.25622e-006  
第9面
K =-9.28207e-001   A 4=-1.83232e-003   A 6=-1.58220e-004  
第10面
K = 6.03894e-001   A 4= 1.13103e-003   A 6= 4.35985e-005  
第11面
K =-8.36796e+000   A 4= 9.48431e-004   A 6=-5.05453e-005  
第12面
K =-2.24043e+000   A 4=-9.07528e-004   A 6= 9.61281e-007  
第13面
K = 6.10242e+000   A 4=-2.60010e-003   A 6= 1.92825e-005  
各種データ
焦点距離      15.00  
Fナンバー      2.88  
画角          14.48  
像高           3.88  
レンズ全長    17.91  
BF             3.06  
入射瞳位置     6.90  
射出瞳位置    -6.27  
前側主点位置  -2.20  
後側主点位置 -11.94  
単レンズデータ
レンズ  始面  焦点距離
1       1     31.71
2       3      7.05
3       5    -15.13
4       8     -8.61
5      10     40.66
6      12     82.43
（数値例２）
ワイド光学系
単位 mm
面データ
面番号       r        d      nd         νd       有効径
1*        17.545    1.30   1.72916    54.7        6.84
2*         4.492    1.60                          4.62
3*         7.232    0.42   1.84666    23.8        3.94
4*         5.551    1.75                          3.84
5*        -9.747    0.80   1.77250    49.6        3.23
6*        -6.483    0.87                          3.05
7(絞り)    ∞       1.46                          2.95
8*         4.952    1.20   1.59240    68.3        4.29
9*       -13.956    0.89                          4.52
10*        11.888    1.80   1.72916    54.7        4.80
11*        -6.936    0.50                          4.68
12*        -4.690    0.60   1.84666    23.8        4.26
13*        19.395                                  4.07
像面        ∞   
非球面データ
第1面
K = 1.93798e+001   A 4= 3.44220e-003   A 6=-1.43219e-004   A 8= 4.91643e-006  
第2面
K = 1.93564e+000   A 4= 3.78641e-003   A 6= 1.63212e-004   A 8=-2.68609e-005  
第3面
K =-2.58063e+001   A 4=-1.22252e-002   A 6=-5.60380e-004  
第4面
K =-1.40874e+001   A 4=-8.95519e-003   A 6=-1.13109e-005  
第5面
K = 1.47405e+001   A 4= 1.16143e-002   A 6= 9.07581e-004  
第6面
K =-9.69339e+000   A 4= 8.06017e-004   A 6= 1.09323e-003  
第8面
K =-5.09301e+000   A 4= 1.50977e-005   A 6=-5.31157e-004  
第9面
K = 1.50804e+001   A 4=-4.97400e-003   A 6= 4.96866e-005  
第10面
K =-5.05811e+001   A 4= 3.58405e-003   A 6=-6.14664e-004   A 8= 8.77333e-005
A10=-3.44814e-006  
第11面
K = 4.11902e+000   A 4= 5.20259e-003   A 6=-1.01058e-003   A 8= 1.11372e-004
A10=-1.14390e-006  
第12面
K =-8.52909e+000   A 4=-2.92426e-003   A 6= 7.46116e-004   A 8=-4.18326e-005 
第13面
K = 2.43033e+001   A 4= 8.04370e-003   A 6= 7.03394e-004   A 8= 2.12490e-005 
各種データ
焦点距離       5.20  
Fナンバー      2.88  
画角          36.62  
像高           3.87  
レンズ全長    17.86  
BF             4.68  
入射瞳位置     4.00  
射出瞳位置    -3.70  
前側主点位置   5.98  
後側主点位置  -0.52  
単レンズデータ
レンズ  始面  焦点距離
1       1     -8.64
2       3    -31.87
3       5     22.64
4       8      6.32
5      10      6.26
6      12     -4.41
ワイドミドル光学系
単位 mm
面データ
面番号       r        d      nd         νd       有効径
1*        14.402    1.30   1.72916    54.7        7.20
2*         9.996    1.60                          5.79
3*         5.871    0.42   1.84666    23.8        4.44
4*         4.615    1.75                          4.28
5*        -8.563    0.80   1.77250    49.6        3.55
6*       -13.567    0.87                          3.35
7(絞り)    ∞       1.46                          3.17
8*         4.163    1.20   1.59240    68.3        4.32
9*       -12.199    0.89                          4.41
10*         6.787    1.80   1.72916    54.7        4.36
11*        19.484    0.50                          3.99
12*        -6.996    0.60   1.84666    23.8        3.92
13*        14.611                                  3.89
像面        ∞   
非球面データ
第1面
K = 1.16168e+001   A 4= 9.89768e-004   A 6=-5.43987e-005   A 8= 3.26693e-006
第2面
K = 7.65824e+000   A 4= 1.39481e-003   A 6=-9.20355e-005   A 8= 9.48211e-007
第3面
K =-9.87273e+000   A 4=-8.94971e-003   A 6=-4.29309e-004  
第4面
K =-5.07614e+000   A 4=-9.61771e-003   A 6= 1.73926e-004  
第5面
K = 7.60775e+000   A 4= 7.63344e-003   A 6= 4.36551e-004  
第6面
K =-4.58561e+001   A 4= 1.33685e-003   A 6= 4.26211e-004  
第8面
K =-2.28716e+000   A 4= 8.67333e-004   A 6=-2.09732e-004  
第9面
K = 1.17258e+001   A 4=-3.23114e-003   A 6= 1.73236e-004  
第10面
K =-1.31003e+001   A 4= 2.80544e-003   A 6=-7.65671e-004   A 8= 9.93211e-005
A10=-2.31040e-006  
第11面
K =-9.00000e+001   A 4= 4.49945e-003   A 6=-1.47687e-003   A 8= 5.45215e-005
A10= 8.48898e-006  
第12面
K =-2.13149e+001   A 4=-4.89613e-003   A 6= 9.18275e-004   A 8=-1.52655e-005  
第13面
K = 3.35463e+001   A 4= 2.33168e-003   A 6= 7.55748e-004   A 8= 6.21658e-005  
各種データ
焦点距離       7.50  
Fナンバー      2.88  
画角          27.26  
像高           3.87  
レンズ全長    17.86  
BF             4.68  
入射瞳位置     5.43  
射出瞳位置    -3.21  
前側主点位置   5.80  
後側主点位置  -2.82  
単レンズデータ
レンズ  始面  焦点距離
1       1    -51.19
2       3    -30.09
3       5    -32.31
4       8      5.39
5      10     13.48
6      12     -5.52
テレミドル光学系
単位 mm
面データ
面番号       r        d      nd         νd       有効径
1*        11.464    1.30   1.72916    54.7        6.73
2*        15.201    1.60                          6.07
3*        -8.689    0.42   1.84666    23.8        5.19
4*       -44.646    1.75                          5.05
5*        25.108    0.80   1.77250    49.6        4.80
6*        -7.531    0.87                          4.77
7(絞り)    ∞       1.46                          3.61
8*       142.496    1.20   1.59240    68.3        3.83
9*        20.498    0.89                          4.18
10*         8.680    1.80   1.72916    54.7        4.64
11*       -40.199    0.50                          4.89
12*         4.483    0.60   1.84666    23.8        5.06
13*         2.685                                  4.88
像面        ∞   
非球面データ
第1面
K =-1.12226e+001   A 4=-1.13289e-004   A 6=-5.28008e-005   A 8= 2.94049e-006  
第2面
K = 5.62752e+000   A 4=-1.25443e-003   A 6=-2.40089e-005   A 8= 3.72638e-006  
第3面
K =-8.87393e+000   A 4= 1.69189e-003   A 6=-1.84476e-004  
第4面
K = 6.67509e+001   A 4= 3.68820e-003   A 6=-1.00293e-004  
第5面
K = 1.23997e+001   A 4=-2.08071e-003   A 6= 1.15687e-004  
第6面
K =-2.71503e+000   A 4=-2.68612e-003   A 6= 8.47615e-005  
第8面
K =-9.00000e+001   A 4=-5.73823e-003   A 6= 7.95727e-004  
第9面
K = 2.16869e+001   A 4=-1.52643e-002   A 6= 1.68370e-003  
第10面
K =-8.73655e+000   A 4=-7.58655e-003   A 6=-3.31580e-004   A 8= 2.47858e-004
A10=-1.66883e-005  
第11面
K =-9.00000e+001   A 4=-1.06514e-003   A 6=-3.52469e-004   A 8= 1.03483e-004
A10=-7.19175e-006  
第12面
K =-1.16155e+001   A 4= 5.95986e-004   A 6= 3.60160e-004   A 8=-4.46187e-005  
第13面
K =-4.72048e+000   A 4= 3.59852e-003   A 6= 4.99895e-006   A 8=-2.00257e-005  
各種データ
焦点距離      10.50  
Fナンバー      2.88  
画角          20.21  
像高           3.87  
レンズ全長    17.86  
BF             4.68  
入射瞳位置     5.94  
射出瞳位置    -3.42  
前側主点位置   2.83  
後側主点位置  -5.82  
単レンズデータ
レンズ  始面  焦点距離
1       1     55.77
2       3    -12.81
3       5      7.58
4       8    -40.56
5      10      9.94
6      12     -9.34
テレ光学系
単位 mm
面データ
面番号       r        d      nd         νd       有効径
1*         7.756    1.30   1.72916    54.7        7.41
2*        21.268    1.60                          6.82
3*        -9.930    0.42   1.84666    23.8        5.91
4*       -84.565    1.75                          5.58
5*        27.184    0.80   1.77250    49.6        4.97
6*       -10.343    0.87                          4.86
7(絞り)    ∞       1.46                          4.02
8*      -562.426    1.20   1.59240    68.3        4.11
9*        49.210    0.89                          4.33
10*        14.199    1.80   1.72916    54.7        4.46
11*         8.599    0.50                          4.77
12*         6.050    0.60   1.84666    23.8        5.13
13*         5.049                                  5.23
像面        ∞   
非球面データ
第1面
K =-5.01788e+000   A 4= 1.07278e-003   A 6=-3.24083e-005   A 8= 3.43676e-006
第2面
K = 1.37156e+000   A 4=-1.66607e-004   A 6= 3.17988e-005   A 8= 4.12335e-006
第3面
K =-1.14417e+001   A 4= 2.81702e-003   A 6=-7.26483e-005  
第4面
K =-9.00000e+001   A 4= 3.61630e-003   A 6=-2.98440e-005  
第5面
K = 4.05390e+001   A 4=-2.78388e-003   A 6= 2.27441e-004  
第6面
K =-3.61488e+000   A 4=-2.42356e-003   A 6= 1.62345e-004  
第8面
K =-9.00000e+001   A 4=-4.22712e-003   A 6= 4.17957e-004  
第9面
K = 9.00000e+001   A 4=-1.45330e-002   A 6= 1.34423e-003  
第10面
K =-5.32928e+001   A 4=-9.81497e-003   A 6=-4.12565e-004   A 8= 2.99948e-004
A10=-1.98667e-005  
第11面
K =-2.19201e+000   A 4=-2.78515e-003   A 6= 1.62682e-004   A 8= 1.65808e-005
A10=-1.17910e-006  
第12面
K =-2.08158e+001   A 4= 2.05328e-003   A 6=-1.12732e-004   A 8=-1.62819e-005  
第13面
K =-1.37690e+001   A 4= 7.58138e-005   A 6=-5.48522e-006   A 8=-1.39436e-005  
各種データ
焦点距離      15.00  
Fナンバー      2.88  
画角          14.45  
像高           3.87  
レンズ全長    17.86  
BF             4.68  
入射瞳位置     7.81  
射出瞳位置    -3.52  
前側主点位置  -4.63  
後側主点位置 -10.32  
単レンズデータ
レンズ  始面  焦点距離
1       1     16.09
2       3    -13.32
3       5      9.79
4       8    -76.33
5      10    -34.59
6      12    -49.71
（数値例３）
ワイド光学系
単位 mm
面データ
面番号       r        d      nd         νd       有効径
1*       -48.116    1.30   1.62041    60.3        7.66
2*         3.639    6.00                          5.47
3*         8.750    1.40   1.59240    68.3        4.73
4*       -16.903    0.50                          4.40
5*       -34.756    0.80   1.80518    25.4        3.96
6*        56.394    0.10                          3.88
7(絞り)    ∞       0.10                          3.88
8*         6.065    1.20   1.64000    60.1        3.92
9*        23.836    4.25                          3.68
10*         8.690    1.80   1.59240    68.3        5.41
11*        -9.012    0.50                          5.31
12*        -8.618    1.00   1.84666    23.8        4.93
13*        72.203                                  5.07
像面        ∞   
非球面データ
第1面
K =-9.00000e+001   A 4= 7.01850e-004   A 6=-1.41729e-005  
第2面
K =-1.02437e+000   A 4= 2.89533e-003   A 6= 1.66545e-004  
第3面
K = 4.11720e+000   A 4=-6.62206e-005   A 6= 8.06378e-005  
第4面
K = 1.07116e+001   A 4= 2.17403e-003   A 6=-9.54859e-005  
第5面
K =-9.00000e+001   A 4= 5.80653e-003   A 6=-4.79986e-004  
第6面
K = 2.07531e+001   A 4= 5.35204e-003   A 6=-2.78954e-004  
第8面
K = 7.31767e-001   A 4= 4.43548e-004   A 6= 1.00025e-004  
第9面
K =-1.63240e+001   A 4= 1.86430e-003   A 6= 1.94279e-004  
第10面
K =-8.77468e+000   A 4= 2.85223e-003   A 6= 2.41901e-005  
第11面
K = 3.81908e+000   A 4=-3.42418e-003   A 6= 3.06907e-004  
第12面
K =-9.22231e+000   A 4=-8.81583e-003   A 6= 4.93062e-004  
第13面
K =-3.49900e+001   A 4=-5.65878e-004   A 6= 3.46460e-004  
各種データ
焦点距離       5.20  
Fナンバー      2.88  
画角          36.69  
像高           3.88  
レンズ全長    23.95  
BF             5.00  
入射瞳位置     4.01  
射出瞳位置    -6.87  
前側主点位置   6.93  
後側主点位置  -0.20  
単レンズデータ
レンズ  始面  焦点距離
1       1     -5.40
2       3      9.93
3       5    -26.60
4       8     12.38
5      10      7.76
6      12     -9.04
ワイドミドル光学系
単位 mm
面データ
面番号       r        d      nd         νd       有効径
1*      -419.207    1.30   1.62041    60.3        7.36
2*         4.982    6.00                          5.79
3*         8.643    1.40   1.59240    68.3        5.55
4*       -30.643    0.50                          5.14
5*       -25.934    0.80   1.80518    25.4        4.81
6*        68.322    0.10                          4.60
7(絞り)    ∞       0.10                          4.60
8*         5.835    1.20   1.64000    60.1        4.81
9*      -260.120    4.25                          4.79
10*        46.541    1.80   1.59240    68.3        5.00
11*        -9.934    0.50                          4.81
12*        -5.672    1.00   1.84666    23.8        4.70
13*       -20.639                                  5.21
像面        ∞   
非球面データ
第1面
K = 9.00000e+001   A 4= 1.05181e-003   A 6=-2.00916e-005  
第2面
K =-9.71530e-001   A 4= 2.64711e-003   A 6= 9.78189e-005  
第3面
K = 6.02071e+000   A 4=-8.54070e-005   A 6= 1.21119e-004  
第4面
K = 6.94820e+001   A 4= 1.61239e-003   A 6= 1.97117e-004  
第5面
K = 8.65492e+001   A 4= 4.66403e-003   A 6=-2.08149e-004  
第6面
K = 4.69152e+001   A 4= 3.86845e-003   A 6=-2.07634e-004  
第8面
K = 9.12544e-001   A 4=-8.06647e-004   A 6= 7.47605e-005  
第9面
K = 5.13762e+001   A 4= 2.89711e-004   A 6= 1.47593e-004  
第10面
K =-3.69018e+001   A 4= 9.86792e-004   A 6= 2.20769e-004  
第11面
K = 3.52657e+000   A 4=-3.00617e-003   A 6= 2.55391e-004  
第12面
K =-3.32502e+000   A 4=-1.04688e-002   A 6= 3.83832e-004  
第13面
K = 3.90398e+001   A 4=-1.95574e-003   A 6= 3.66442e-004  
各種データ
焦点距離       7.50  
Fナンバー      2.88  
画角          27.32  
像高           3.88  
レンズ全長    23.95  
BF             5.00  
入射瞳位置     4.83  
射出瞳位置    -5.89  
前側主点位置   7.17  
後側主点位置  -2.50  
単レンズデータ
レンズ  始面  焦点距離
1       1     -7.93
2       3     11.53
3       5    -23.26
4       8      8.93
5      10     13.99
6      12     -9.53
テレミドル光学系
単位 mm
面データ
面番号       r        d      nd         νd       有効径
1*        21.333    1.30   1.62041    60.3        7.94
2*         8.644    6.00                          7.27
3*        14.523    1.40   1.59240    68.3        5.76
4*        -8.547    0.50                          5.55
5*        -8.406    0.80   1.80518    25.4        4.92
6*       -13.347    0.10                          4.63
7(絞り)    ∞       0.10                          4.42
8*         6.682    1.20   1.64000    60.1        4.47
9*         6.140    4.25                          4.49
10*         5.936    1.80   1.59240    68.3        6.67
11*        34.617    0.50                          6.26
12*         5.087    1.00   1.84666    23.8        6.25
13*         3.128                                  5.77
像面        ∞   
非球面データ
第1面
K =-2.60863e+001   A 4=-7.80509e-004   A 6=-9.41827e-006  
第2面
K =-5.52978e+000   A 4= 1.27924e-004   A 6=-2.07571e-005  
第3面
K =-2.40411e+001   A 4= 1.27171e-003   A 6=-5.45047e-005  
第4面
K =-2.17385e-001   A 4= 3.74011e-004   A 6= 7.90553e-006  
第5面
K = 4.83965e-001   A 4= 1.35730e-003   A 6= 6.25170e-005  
第6面
K = 6.10281e+000   A 4= 1.43583e-003   A 6= 4.65354e-005  
第8面
K = 1.69209e+000   A 4=-1.58544e-003   A 6=-8.62746e-005  
第9面
K = 1.59626e+000   A 4=-2.35778e-003   A 6=-1.33625e-004  
第10面
K = 1.92595e-001   A 4= 9.83639e-004   A 6=-1.49120e-006  
第11面
K = 3.11410e+001   A 4= 3.18700e-003   A 6= 2.95213e-006  
第12面
K =-2.85262e+000   A 4=-1.83994e-003   A 6= 7.62849e-005  
第13面
K =-2.02865e+000   A 4=-1.53383e-003   A 6= 1.15514e-004  
各種データ
焦点距離      10.50  
Fナンバー      2.81  
画角          20.26  
像高           3.88  
レンズ全長    23.95  
BF             5.00  
入射瞳位置     7.18  
射出瞳位置    -4.92  
前側主点位置   6.58  
後側主点位置  -5.50  
単レンズデータ
レンズ  始面  焦点距離
1       1    -24.38
2       3      9.29
3       5    -30.40
4       8   -866.01
5      10     11.82
6      12    -12.52
テレ光学系
単位 mm
面データ
面番号       r        d      nd         νd       有効径
1*        14.827    1.30   1.62041    60.3        8.55
2*        12.297    6.00                          8.02
3*        21.647    1.40   1.59240    68.3        6.41
4*        -8.367    0.50                          6.22
5*        -8.443    0.80   1.80518    25.4        5.53
6*       -14.602    0.10                          5.19
7(絞り)    ∞       0.10                          4.98
8*         6.475    1.20   1.64000    60.1        5.15
9*         6.369    4.25                          4.92
10*         6.929    1.80   1.59240    68.3        5.98
11*         6.888    0.50                          5.77
12*         5.923    1.00   1.84666    23.8        5.98
13*         4.456                                  5.67
像面        ∞   
非球面データ
第1面
K =-3.75927e+000   A 4=-1.26105e-004   A 6=-1.94984e-005  
第2面
K =-2.03156e+000   A 4= 2.15308e-004   A 6=-2.04223e-005  
第3面
K =-5.47758e+001   A 4= 1.32411e-003   A 6=-3.80510e-005  
第4面
K =-9.95105e-001   A 4= 5.16908e-004   A 6= 2.08321e-006  
第5面
K = 1.61472e+000   A 4= 1.45537e-003   A 6= 7.83081e-005  
第6面
K = 5.13501e+000   A 4= 1.14621e-003   A 6= 6.02747e-005  
第8面
K = 9.39192e-001   A 4=-2.76114e-004   A 6= 6.29758e-006  
第9面
K = 9.66245e-001   A 4=-3.93145e-004   A 6= 2.50049e-005  
第10面
K =-2.43256e+000   A 4= 4.08628e-004   A 6=-4.67073e-005  
第11面
K =-9.86742e-001   A 4= 1.42657e-003   A 6=-9.76226e-005  
第12面
K =-3.46390e+000   A 4= 1.08774e-003   A 6=-3.58503e-006  
第13面
K =-2.33129e+000   A 4= 2.77796e-004   A 6= 3.71071e-005  
各種データ
焦点距離      15.00  
Fナンバー      2.88  
画角          14.48  
像高           3.88  
レンズ全長    23.95  
BF             5.00  
入射瞳位置     9.02  
射出瞳位置    -4.60  
前側主点位置   0.58  
後側主点位置 -10.00  
単レンズデータ
レンズ  始面  焦点距離
1       1   -144.61
2       3     10.37
3       5    -26.39
4       8    177.57
5      10    128.12
6      12    -30.90
（数値例４）
ワイド光学系
単位 mm
面データ
面番号       r        d      nd         νd       有効径
1*       -15.549    1.70   1.62041    60.3        9.32
2*         5.297    6.00                          5.94
3*       -21.574    1.80   1.49700    81.5        4.31
4*        -6.160    0.50                          4.30
5*       -60.682    0.80   1.84666    23.8        3.65
6*      -247.402    1.26                          3.51
7(絞り)    ∞       2.16                          3.60
8*         7.864    1.20   1.59240    68.3        5.23
9*       -65.198    3.81                          5.42
10*         7.418    2.20   1.49700    81.5        6.38
11*        -4.540    0.50                          6.37
12*        -2.561    1.00   1.84666    23.8        5.89
13*        -5.241                                  5.68
像面        ∞   
非球面データ
第1面
K =-9.00000e+001   A 4= 2.40773e-003   A 6=-1.00607e-004  
A 8= 2.29263e-006   A10=-2.45268e-008  
第2面
K =-2.33052e+000   A 4= 8.76770e-003   A 6=-1.12324e-004  
A 8= 1.59787e-005   A10=-3.95043e-007  
第3面
K =-7.34310e+001   A 4=-4.21675e-003   A 6=-5.01453e-005  
A 8= 2.53959e-005   A10=-1.23794e-005  
第4面
K =-3.31004e-001   A 4=-4.70929e-003   A 6= 9.40943e-004  
A 8=-2.39785e-004   A10= 1.39342e-005  
第5面
K =-9.00000e+001   A 4= 1.91427e-003   A 6= 9.94935e-004  
A 8=-2.72938e-004   A10= 1.79532e-005  
第6面
K =-9.00000e+001   A 4= 3.13282e-003   A 6= 4.08003e-004  
A 8=-1.04956e-004   A10= 3.69894e-006  
第8面
K =-3.92356e+000   A 4= 6.68721e-005   A 6=-1.81875e-004  
A 8= 1.27528e-005   A10=-7.29409e-007  
第9面
K =-1.52035e+001   A 4=-8.29437e-004   A 6=-1.82468e-004  
A 8= 1.31931e-005   A10=-5.81891e-007  
第10面
K = 4.69580e-001   A 4= 8.49677e-005   A 6=-1.91505e-004  
A 8=-1.85306e-007   A10= 3.24269e-007  
第11面
K =-1.29407e+001   A 4=-2.00018e-003   A 6=-1.00026e-004  
A 8= 4.40120e-006   A10= 8.21368e-008  
第12面
K =-5.27817e+000   A 4= 6.66070e-003   A 6=-4.16248e-004  
A 8=-4.05938e-006   A10= 7.85917e-007  
第13面
K =-1.56342e+001   A 4= 9.46117e-003   A 6= 1.14746e-004  
A 8=-5.53169e-005   A10= 2.24424e-006  
各種データ
焦点距離       4.40  
Fナンバー      2.88  
画角          41.37  
像高           3.88  
レンズ全長    27.87  
BF             4.93  
入射瞳位置     4.54  
射出瞳位置   -11.77  
前側主点位置   7.78  
後側主点位置   0.53  
単レンズデータ
レンズ  始面  焦点距離
1       1     -6.18
2       3     16.70
3       5    -95.15
4       8     11.92
5      10      6.04
6      12     -7.13
ワイドミドル光学系
単位 mm
面データ
面番号       r        d      nd         νd       有効径
1*        -6.311    1.70   1.62041    60.3        8.53
2*       -15.124    6.00                          6.79
3*       -16.852    1.80   1.49700    81.5        4.62
4*        -8.778    0.50                          4.41
5*       -23.424    0.80   1.84666    23.8        4.40
6*       -85.378    1.26                          4.43
7(絞り)    ∞       2.16                          4.61
8*         5.516    1.20   1.59240    68.3        5.22
9*       -26.626    3.81                          5.23
10*       -24.787    2.20   1.49700    81.5        4.87
11*        -4.618    0.50                          4.96
12*        -2.450    1.00   1.84666    23.8        4.85
13*        -4.979                                  5.39
像面        ∞   
非球面データ
第1面
K =-6.14800e+000   A 4= 3.70943e-003   A 6=-1.19809e-004  
A 8= 2.73722e-006   A10=-2.86757e-008  
第2面
K =-4.61616e+001   A 4= 4.57808e-003   A 6= 4.81717e-005  
A 8=-4.17683e-006   A10= 2.31980e-007  
第3面
K =-6.71054e+001   A 4=-1.25502e-003   A 6= 9.36993e-005  
A 8=-1.48143e-005   A10=-5.60547e-007  
第4面
K = 4.63442e-001   A 4=-3.77281e-003   A 6= 9.89592e-004  
A 8=-1.41886e-004   A10= 6.01938e-006  
第5面
K = 6.34661e+001   A 4=-2.18170e-003   A 6= 1.43846e-003  
A 8=-1.94467e-004   A10= 1.04358e-005  
第6面
K = 9.00000e+001   A 4=-5.67998e-004   A 6= 6.86542e-004  
A 8=-8.66547e-005   A10= 4.00686e-006  
第8面
K =-1.87501e+000   A 4= 1.01603e-003   A 6=-7.41257e-005  
A 8= 1.05915e-005   A10=-8.59893e-007  
第9面
K =-7.57858e+001   A 4=-2.99491e-004   A 6=-4.45123e-005  
A 8= 7.88147e-006   A10=-7.18324e-007  
第10面
K = 6.06182e+001   A 4=-5.70802e-004   A 6= 6.31739e-005  
A 8=-3.12933e-005   A10= 3.63305e-006  
第11面
K =-8.53567e-001   A 4= 2.29916e-003   A 6=-4.31596e-005  
A 8=-4.69019e-005   A10= 2.10631e-006  
第12面
K =-1.63511e+000   A 4= 5.28029e-003   A 6=-2.97920e-004  
A 8= 2.96250e-006   A10=-2.68364e-006  
第13面
K =-3.21078e+000   A 4= 4.29280e-003   A 6=-5.56892e-005  
A 8= 1.00908e-005   A10=-1.04948e-006  
各種データ
焦点距離       8.10  
Fナンバー      2.88  
画角          25.57  
像高           3.88  
レンズ全長    27.87  
BF             4.93  
入射瞳位置     6.21  
射出瞳位置    -7.59  
前側主点位置   9.07  
後側主点位置  -3.17  
単レンズデータ
レンズ  始面  焦点距離
1       1    -18.85
2       3     34.32
3       5    -38.35
4       8      7.82
5      10     11.02
6      12     -6.96
テレミドル光学系
単位 mm
面データ
面番号       r        d      nd         νd       有効径
1*      4154.388    1.70   1.62041    60.3        9.82
2*        30.158    6.00                          9.27
3*         7.145    1.80   1.49700    81.5        7.31
4*       -37.728    0.50                          6.89
5*       -19.914    0.80   1.84666    23.8        6.39
6*       -37.975    1.26                          5.88
7(絞り)    ∞       2.16                          4.95
8*         4.833    1.20   1.59240    68.3        4.25
9*         3.773    3.81                          4.11
10*         7.364    2.20   1.49700    81.5        6.12
11*        74.404    0.50                          5.89
12*         4.514    1.00   1.84666    23.8        5.98
13*         3.251                                  5.89
像面        ∞   
非球面データ
第1面
K = 9.00000e+001   A 4=-1.24610e-004   A 6=-4.39173e-006  
A 8= 1.38407e-007   A10=-1.64963e-010  
第2面
K =-1.04824e+001   A 4=-1.76004e-005   A 6=-8.98575e-006  
A 8= 2.94871e-007   A10=-1.37615e-009  
第3面
K =-4.46949e+000   A 4= 1.98279e-003   A 6=-5.84120e-005  
A 8= 1.69123e-006   A10= 3.04561e-009  
第4面
K = 5.46418e+001   A 4= 1.83346e-003   A 6=-1.23043e-004  
A 8= 4.22163e-006   A10=-7.99090e-009  
第5面
K = 6.34841e+000   A 4= 2.99260e-003   A 6=-8.63827e-005  
A 8= 5.35571e-007   A10= 1.25070e-007  
第6面
K = 9.00000e+001   A 4= 2.60155e-003   A 6= 6.19116e-006 
A 8=-3.70773e-006   A10= 3.38238e-007  
第8面
K = 1.72200e-001   A 4=-1.75958e-003   A 6=-2.06213e-004  
A 8= 2.14482e-006   A10= 6.85163e-007  
第9面
K =-3.10596e-001   A 4=-2.00205e-003   A 6=-4.63580e-004  
A 8= 1.96481e-005   A10= 6.90382e-007  
第10面
K = 9.19367e-001   A 4= 4.32065e-003   A 6=-3.08400e-004  
A 8= 1.26359e-005   A10=-5.30893e-007  
第11面
K = 2.29759e+001   A 4= 7.50550e-003   A 6=-2.91010e-004  
A 8=-8.96536e-006   A10= 3.41671e-007  
第12面
K =-1.58103e-002   A 4=-8.58579e-003   A 6= 1.48904e-004  
A 8=-6.94785e-006   A10= 5.72281e-007  
第13面
K =-2.83628e+000   A 4=-6.33802e-003   A 6= 3.87565e-004  
A 8=-1.64786e-005   A10= 8.57651e-007  
各種データ
焦点距離      15.00  
Fナンバー      2.88  
画角          14.48  
像高           3.88  
レンズ全長    27.87  
BF             4.93  
入射瞳位置     9.64  
射出瞳位置    -6.52  
前側主点位置   5.00  
後側主点位置 -10.07  
単レンズデータ
レンズ  始面  焦点距離
1       1    -48.97
2       3     12.25
3       5    -50.48
4       8    -50.18
5      10     16.27
6      12    -21.56
テレ光学系
単位 mm
面データ
面番号       r        d      nd         νd       有効径
1*        16.751    1.70   1.62041    60.3       12.59
2*       210.161    6.00                         12.38
3*         8.298    1.80   1.49700    81.5        7.39
4*       -81.483    0.50                          6.66
5*       -16.474    0.80   1.84666    23.8        6.35
6*      1466.568    1.26                          5.76
7(絞り)    ∞       2.16                          5.23
8*         6.911    1.20   1.59240    68.3        4.20
9*         3.263    3.81                          4.09
10*        12.252    2.20   1.49700    81.5        6.72
11*        16.214    0.50                          6.66
12*         8.301    1.00   1.84666    23.8        6.99
13*        12.536                                  6.93
像面        ∞   
非球面データ
第1面
K =-1.55876e+000   A 4= 2.92366e-005   A 6=-1.09631e-006  
A 8=-2.08632e-008   A10=-3.05929e-010  
第2面
K =-8.25615e+001   A 4= 8.52712e-005   A 6=-3.92623e-006  
A 8= 1.40034e-008   A10=-2.69295e-010  
第3面
K =-3.67293e+000   A 4= 2.26440e-003   A 6=-4.59917e-005  
A 8= 1.04881e-006   A10=-6.76070e-008  
第4面
K =-8.25640e+001   A 4= 2.95461e-003   A 6=-1.69702e-004  
A 8= 2.78863e-006   A10=-9.81982e-009  
第5面
K =-8.54818e+000   A 4= 3.23331e-003   A 6=-6.52295e-005  
A 8= 2.60563e-007   A10= 2.06459e-008  
第6面
K = 9.00000e+001   A 4= 2.84444e-003   A 6= 5.54409e-005  
A 8=-2.01728e-006   A10= 1.47975e-008  
第8面
K = 9.01024e-001   A 4=-3.18032e-003   A 6= 1.87699e-005  
A 8= 1.35237e-006   A10= 4.20761e-007  
第9面
K =-5.97311e-001   A 4=-3.35059e-003   A 6=-8.80939e-005  
A 8= 3.70614e-005   A10=-1.59924e-006  
第10面
K = 4.33191e+000   A 4= 2.20495e-003   A 6=-1.96480e-004  
A 8= 1.40411e-005   A10=-1.95281e-007  
第11面
K = 1.80446e+001   A 4= 1.78097e-003   A 6=-1.22296e-004  
A 8=-3.36184e-006   A10= 4.67220e-007  
第12面
K = 2.52838e+000   A 4=-2.56453e-003   A 6= 1.27725e-004  
A 8=-3.82035e-006   A10=-8.84563e-008  
第13面
K = 2.03545e+000   A 4=-2.86765e-003   A 6= 1.81150e-004  
A 8=-1.65134e-006   A10=-1.51589e-007  
各種データ
焦点距離      27.80  
Fナンバー      2.88  
画角           7.94  
像高           3.88  
レンズ全長    27.87  
BF             4.93  
入射瞳位置    18.15  
射出瞳位置   -10.54  
前側主点位置  -4.00  
後側主点位置 -22.87  
単レンズデータ
レンズ  始面  焦点距離
1       1     29.24
2       3     15.25
3       5    -19.24
4       8    -11.89
5      10     85.17
6      12     26.19
（数値例５）
ワイド光学系
単位 mm
面データ
面番号       r        d      nd         νd       有効径
1*         7.404    1.30   1.55332    71.7       14.08
2*         3.200   10.31                          9.19
3         -7.045    2.96   1.48749    70.2        5.70
4         -6.679    1.50                          5.48
5(絞り)    ∞       0.50                          3.58
6*        13.012    3.00   1.55332    71.7        3.92
7         -8.146    0.31                          4.98
8        -83.682    2.10   1.49700    81.5        5.18
9         -5.101    0.10                          5.48
10         31.259    1.71   1.49700    81.5        5.17
11         -6.100    0.80   1.84666    23.8        4.89
12        -12.542    0.10                          4.84
13        -27.930    0.70   1.85400    40.4        4.74
14*         6.238    2.50                          4.56
15          ∞       1.10   1.51633    64.1        6.04
16          ∞                                     6.57
像面        ∞   
非球面データ
第1面
K =-5.79997e-001   A 4=-1.15761e-003   A 6= 1.54266e-005  
A 8=-8.19803e-008   A10=-1.10277e-010  
第2面
K =-6.05643e-001   A 4=-1.33299e-003   A 6=-4.73214e-006  
A 8=-7.39960e-007   A10= 3.09526e-008  
第6面
K =-5.78386e+001   A 4= 9.45634e-004   A 6=-5.68033e-004  
A 8= 6.51556e-005   A10=-5.52108e-006  
第14面
K =-4.35595e-001   A 4= 2.17226e-003   A 6= 1.20849e-004  
A 8=-4.57029e-006   A10= 5.79376e-007  
各種データ
焦点距離       4.40  
Fナンバー      2.88  
画角          41.37  
像高           3.88  
レンズ全長    30.60  
BF             1.60  
入射瞳位置     7.64  
射出瞳位置    -7.45  
前側主点位置   9.90  
後側主点位置  -2.80  
単レンズデータ
レンズ  始面  焦点距離
1       1    -11.45
2       3     72.17
3       6      9.54
4       8     10.83
5      10     10.43
6      11    -14.88
7      13     -5.91
8      15      0.00
テレ光学系
単位 mm
面データ
面番号       r        d      nd         νd       有効径
1*        12.459    2.30   1.55332    71.7       12.65
2*        55.949    4.21                         12.09
3         12.550    0.76   1.72047    34.7        8.55
4          6.251    2.40   1.49700    81.5        7.57
5         15.618    2.41                          6.61
6         22.631    1.50   1.67790    55.3        5.73
7      -1218.490    1.50                          5.35
8(絞り)    ∞       1.51                          4.61
9*        43.453    0.70   1.58313    59.4        4.76
10          6.355    3.69                          4.77
11*         7.011    1.90   1.85135    40.1        7.18
12          9.435    4.01                          6.87
13          ∞       1.10   1.51633    64.1        8.33
14          ∞                                     8.46
像面        ∞   
非球面データ
第1面
K = 6.31393e-001   A 4=-4.37315e-005   A 6=-1.22774e-007  
A 8=-9.35480e-009   A10= 3.52194e-011  
第2面
K =-3.41126e+001   A 4= 5.89862e-005   A 6= 6.47254e-008  
A 8=-7.02093e-009   A10= 1.02481e-010  
第9面
K = 8.83136e+001   A 4= 1.38291e-004   A 6=-2.27663e-005  
A 8= 2.98008e-006   A10=-1.66891e-007  
第11面
K = 0.00000e+000   A 4=-1.58771e-004   A 6=-1.89942e-006  
A 8= 1.81385e-007   A10=-7.14087e-009  
各種データ
焦点距離      27.80  
Fナンバー      2.88  
画角           7.94  
像高           3.88  
レンズ全長    29.60  
BF             1.60  
入射瞳位置    26.19  
射出瞳位置   -11.37  
前側主点位置  -5.62  
後側主点位置 -26.20  
単レンズデータ
レンズ  始面  焦点距離
1       1     28.43
2       3    -18.21
3       4     19.33
4       6     32.79
5       9    -12.86
6      11     23.57
7      13      0.00
（数値例６）
ワイド光学系
単位 mm
面データ
面番号       r        d      nd         νd       有効径
1*         6.429    1.00   1.53110    55.9       10.45
2*         2.669    4.50                          7.34
3*         9.837    2.50   1.53110    55.9        6.99
4*       -98.190    2.69                          6.48
5*        -6.284    1.00   1.63550    23.9        4.45
6*        -9.218    1.60                          4.20
7(絞り)    ∞       0.10                          3.14
8*         7.243    2.30   1.53110    55.9        3.38
9*       -10.895    0.10                          4.21
10*         5.553    1.40   1.53110    55.9        4.43
11*        -6.770    0.50                          4.34
12*        -9.637    0.75   1.63550    23.9        4.05
13*         4.578    2.86                          3.85
14          ∞       1.10   1.51633    64.1        5.63
15          ∞                                     6.17
像面        ∞   
非球面データ
第1面
K =-7.52241e+000   A 4=-7.77610e-004   A 6= 9.19501e-006  
A 8= 1.03786e-006   A10=-3.49887e-008   A12= 3.60174e-010  
第2面
K =-5.90705e-001   A 4=-4.81245e-003   A 6= 2.77982e-004  
A 8=-2.95230e-005   A10= 1.68607e-006   A12=-4.23676e-008  
第3面
K =-2.62163e+001   A 4= 3.89577e-003   A 6=-3.51883e-004  
A 8= 2.72508e-005   A10=-1.45133e-006   A12= 2.74768e-008  
第4面
K = 8.99414e+001   A 4=-2.80469e-004   A 6=-7.35250e-005  
A 8= 5.96298e-006   A10=-1.01667e-006   A12= 4.24368e-008  
第5面
K =-1.81335e+001   A 4=-6.13463e-003   A 6= 1.42258e-003  
A 8=-2.17486e-004   A10= 1.27021e-005   A12= 2.80472e-007  
第6面
K =-4.98314e+001   A 4=-5.26715e-003   A 6= 1.62525e-003  
A 8=-2.95696e-004   A10= 2.42489e-005   A12=-1.60854e-007  
第8面
K =-1.68951e+001   A 4= 2.06255e-003   A 6=-2.09781e-004  
A 8=-6.18359e-004   A10= 2.24328e-004   A12=-2.92503e-005  
第9面
K =-8.03453e+001   A 4=-1.34786e-002   A 6= 3.81624e-003  
A 8=-1.47982e-003   A10= 3.18316e-004   A12=-2.70026e-005  
第10面
K =-7.88338e+000   A 4= 1.15156e-003   A 6= 1.01968e-003  
A 8=-6.94152e-004   A10= 1.77811e-004   A12=-1.38902e-005  
第11面
K =-2.27187e+001   A 4=-1.17172e-002   A 6= 3.31804e-003  
A 8=-7.68583e-004   A10= 1.06684e-004   A12=-4.39744e-006  
第12面
K =-5.42897e+000   A 4= 1.48342e-003   A 6= 7.30671e-004  
A 8=-8.82770e-005   A10=-7.31461e-005   A12= 1.21843e-005  
第13面
K =-3.89170e+000   A 4= 1.51003e-002   A 6=-6.14715e-004  
A 8= 1.94468e-004   A10=-9.32100e-005   A12= 1.11024e-005  
各種データ
焦点距離       5.20  
Fナンバー      2.88  
画角          30.80  
像高           3.10  
レンズ全長    24.00  
BF             1.60  
入射瞳位置     6.83  
射出瞳位置    -6.17  
前側主点位置   8.55  
後側主点位置  -3.60  
単レンズデータ
レンズ  始面  焦点距離
1       1     -9.47
2       3     16.97
3       5    -35.80
4       8      8.57
5      10      5.98
6      12     -4.79
7      14      0.00
テレ光学系
単位 mm
面データ
面番号       r        d      nd         νd       有効径
1*       -54.306    1.00   1.63550    23.9        9.16
2*        20.586    0.45                          8.91
3*         9.015    3.50   1.53110    55.9        8.92
4*       -26.808    2.42                          8.23
5*       -41.695    1.00   1.53110    55.9        6.37
6*       -11.690    1.60                          6.07
7(絞り)    ∞       0.10                          4.11
8*         5.540    1.00   1.53110    55.9        4.27
9*         7.601    1.64                          4.20
10*       -69.043    1.70   1.53110    55.9        4.33
11*       -37.921    2.04                          4.50
12*        -3.715    0.75   1.63550    23.9        4.60
13*       -10.264    0.85                          5.45
14          ∞       1.10   1.51633    64.1        6.32
15          ∞                                     6.76
像面        ∞   
非球面データ
第1面
K =-8.84520e+001   A 4=-2.25983e-004   A 6=-1.20994e-005  
A 8=-2.80693e-007   A10= 5.52510e-008   A12=-1.34437e-009  
第2面
K = 1.38800e+001   A 4= 1.09978e-005   A 6=-3.05777e-005  
A 8=-1.57338e-008   A10= 8.91102e-008   A12=-3.02913e-009  
第3面
K =-4.66891e+000   A 4= 8.62431e-004   A 6=-3.37181e-005  
A 8= 1.49470e-006   A10=-3.62389e-008   A12= 1.72247e-010  
第4面
K =-7.81159e+001   A 4=-3.58663e-004   A 6= 1.52804e-005  
A 8=-1.37675e-006   A10= 6.07857e-008   A12=-6.35478e-010  
第5面
K =-8.99851e+001   A 4= 5.44542e-004   A 6=-9.90697e-005  
A 8= 4.84568e-006   A10=-3.08535e-008   A12= 7.53799e-009  
第6面
K = 5.14367e+000   A 4= 1.14176e-003   A 6=-8.98927e-005  
A 8= 9.07980e-006   A10=-4.31174e-007   A12= 2.16652e-008  
第8面
K =-1.79852e+000   A 4= 1.59639e-003   A 6= 1.78374e-004  
A 8=-1.65523e-004   A10= 4.33873e-005   A12=-4.19605e-006  
第9面
K = 4.95030e+000   A 4=-9.83568e-004   A 6=-4.45996e-004  
A 8= 9.93118e-007   A10= 1.48074e-005   A12=-3.26434e-006  
第10面
K = 8.99185e+001   A 4= 8.54525e-004   A 6=-2.71729e-004  
A 8=-1.18966e-005   A10= 2.78388e-005   A12=-4.20505e-006  
第11面
K =-8.99368e+001   A 4=-4.17169e-004   A 6=-2.11980e-004  
A 8=-5.86487e-005   A10= 4.49926e-005   A12=-5.01691e-006  
第12面
K =-1.10359e+001   A 4=-3.52331e-002   A 6= 8.48054e-003  
A 8=-2.56725e-003   A10= 4.70979e-004   A12=-3.30163e-005  
第13面
K =-4.78616e+001   A 4=-1.23726e-002   A 6= 1.97321e-003  
A 8=-4.10591e-004   A10= 5.79107e-005   A12=-3.07475e-006  
各種データ
焦点距離      15.00  
Fナンバー      2.88  
画角          11.68  
像高           3.10  
レンズ全長    20.75  
BF             1.60  
入射瞳位置     9.21  
射出瞳位置    -5.77  
前側主点位置  -6.32  
後側主点位置 -13.40  
単レンズデータ
レンズ  始面  焦点距離
1       1    -23.37
2       3     13.15
3       5     30.24
4       8     32.94
5      10    155.45
6      12     -9.59
7      14      0.00
（数値例７）
ワイド光学系
単位 mm
面データ
面番号       r        d      nd         νd       有効径
1*         9.963    1.30   1.62041    60.3        6.14
2*         2.063    3.16                          4.23
3*         5.403    1.40   1.59240    68.3        4.07
4*       -11.150    0.60                          3.69
5*       -43.751    0.80   1.80518    25.4        3.07
6*        15.608    0.10                          3.02
7(絞り)    ∞       0.10                          3.03
8*         4.764    1.20   1.64000    60.1        3.07
9*       -66.999    2.94                          3.02
10*        14.404    1.80   1.59240    68.3        4.48
11*        -9.500    0.50                          4.37
12*       -17.138    1.00   1.84666    23.8        4.29
13*        11.853                                  5.09
像面        ∞   
非球面データ
第1面
K =-2.47869e+001   A 4=-2.02166e-003   A 6= 5.43003e-005  
第2面
K =-1.79551e+000   A 4= 1.25374e-002   A 6=-4.89811e-005  
第3面
K = 2.24981e+000   A 4= 2.67772e-003   A 6= 1.71832e-004  
第4面
K =-2.15785e+001   A 4= 1.38585e-003   A 6=-4.29296e-005  
第5面
K =-7.77189e+000   A 4= 2.90232e-003   A 6=-1.23226e-003  
第6面
K = 5.52064e+001   A 4= 2.30902e-003   A 6=-9.38603e-004  
第8面
K = 6.43691e-001   A 4= 1.22013e-003   A 6= 3.62473e-004  
第9面
K =-6.95418e+001   A 4= 3.79577e-003   A 6= 8.00925e-004  
第10面
K =-9.00000e+001   A 4= 5.32715e-003   A 6= 4.14940e-004  
第11面
K = 1.36769e+001   A 4=-2.97992e-003   A 6= 1.43850e-003  
第12面
K =-9.00000e+001   A 4=-2.16468e-002   A 6= 4.36176e-004  
第13面
K = 1.40560e+001   A 4=-1.25552e-002   A 6= 5.78256e-004  
各種データ
焦点距離       5.20  
Fナンバー      2.88  
画角          36.69  
像高           3.88  
レンズ全長    17.77  
BF             2.87  
入射瞳位置     3.58  
射出瞳位置    -4.59  
前側主点位置   5.15  
後側主点位置  -2.33  
単レンズデータ
レンズ  始面  焦点距離
1       1     -4.47
2       3      6.34
3       5    -14.20
4       8      6.99
5      10      9.94
6      12     -8.15
テレ光学系
単位 mm
面データ
面番号       r        d      nd         νd       有効径
1*        32.268    1.30   1.62041    60.3        8.47
2*       -51.647    3.16                          8.11
3*         5.700    1.40   1.59240    68.3        5.55
4*       -12.800    0.60                          5.22
5*        -9.999    0.80   1.80518    25.4        3.82
6*       191.283    0.10                          3.38
7(絞り)    ∞       0.10                          3.35
8*         5.214    1.20   1.64000    60.1        3.27
9*         2.487    2.94                          3.24
10*        18.649    1.80   1.59240    68.3        6.46
11*        26.555    0.50                          6.50
12*         8.399    1.00   1.84666    23.8        6.65
13*        11.838                                  6.78
像面        ∞   
非球面データ
第1面
K =-1.92634e+001   A 4=-2.82433e-004   A 6= 3.81416e-006  
第2面
K = 9.00000e+001   A 4= 3.23423e-004   A 6= 2.68125e-006  
第3面
K =-8.60800e-001   A 4= 2.63313e-003   A 6= 4.15438e-005  
第4面
K =-2.86471e+001   A 4= 8.10119e-004   A 6= 2.03306e-006  
第5面
K = 9.11794e+000   A 4= 5.04006e-003   A 6= 2.54023e-004  
第6面
K = 7.38599e+001   A 4= 2.81749e-003   A 6= 5.63571e-004  
第8面
K =-8.57667e-001   A 4=-3.65406e-003   A 6=-4.84007e-004  
第9面
K =-2.26017e-001   A 4=-3.68837e-003   A 6=-1.37027e-003  
第10面
K = 1.65894e+001   A 4= 2.55538e-003   A 6= 1.45887e-005  
第11面
K = 9.21247e+000   A 4= 2.90663e-004   A 6=-7.09973e-006  
第12面
K =-7.20764e+000   A 4=-1.10889e-003   A 6=-5.90829e-005  
第13面
K = 8.94495e+000   A 4=-3.28402e-003   A 6=-4.17715e-005  
各種データ
焦点距離      15.00  
Fナンバー      2.88  
画角          14.48  
像高           3.88  
レンズ全長    17.77  
BF             2.87  
入射瞳位置     8.12  
射出瞳位置    -6.28  
前側主点位置  -1.49  
後側主点位置 -12.13  
単レンズデータ
レンズ  始面  焦点距離
1       1     32.20
2       3      6.85
3       5    -11.78
4       8     -8.97
5      10     97.49
6      12     30.14
【００８７】
【表１】
2015197615.tif 000003
【００８８】
以上説明した各実施例は代表的な例にすぎず、本発明の実施に際しては、各実施例に対して種々の変形や変更が可能である。
【産業上の利用可能性】
【００８９】
本発明は、良好な画像が得られる複眼撮像に用いられる撮像装置やレンズ装置等の複眼光学機器を提供できる。
【符号の説明】
【００９０】
１  複眼撮像装置
１１０ａ，１１０ｂ，１２００ａ，１２０ｂ，１３０ａ，１３０ｂ，１４０ａ，１４０ｂ  結像光学系
２１０ａ〜２１０ｈ  撮像素子
Ｆ  フォーカスレンズ群
Ｒ  後レンズ群
【図１】
2015197615.tif 000004
【図２】
2015197615.tif 000005
【図３】
2015197615.tif 000006
【図４】
2015197615.tif 000007
【図５】
2015197615.tif 000008
【図６】
2015197615.tif 000009
【図７】
2015197615.tif 000010
【図８】
2015197615.tif 000011
【図９】
2015197615.tif 000012
【図１０】
2015197615.tif 000013
【図１１】
2015197615.tif 000014
【図１２】
2015197615.tif 000015
【図１３】
2015197615.tif 000016
【図１４】
2015197615.tif 000017
【図１５】
2015197615.tif 000018
【図１６】
2015197615.tif 000019
【図１７】
2015197615.tif 000020
【図１８】
2015197615.tif 000021
【図１９】
2015197615.tif 000022